(57)【要約】  本発明はアクセス方法及び端末を開示する。該方法は、端末がターゲット特徴情報に基づいて、ターゲットアクセスクラスバーリングＡＣＢ制御パラメータを確定し、前記ターゲット特徴情報が、前記端末の優先度、前記伝送待ちデータの所属するサービスのサービス情報及び前記伝送待ちデータの所属するサービスの所属するコアネットワークのコアネットワーク情報のうちの少なくとも１つを含むステップと、前記端末が前記ターゲットＡＣＢ制御パラメータに基づいてネットワーク機器にアクセスするステップとを含む。本出願の実施例において、ターゲット特徴情報に基づいて端末のターゲットＡＣＢ制御パラメータを確定する。例えば、前記端末の優先度、前記伝送待ちデータの所属するサービスのサービス情報及び前記伝送待ちデータの所属するサービスの所属するコアネットワークのコアネットワーク情報のうちのいずれか１つに基づいて、ＡＣＢ制御パラメータを確定することができる。これにより、ＡＣＢメカニズムにおける端末のネットワークへのアクセスのＡＣＢ制御パラメータを確定する方法の多様性を向上させる。
2020506596.tif 000002
【特許請求の範囲】
【請求項１】
アクセス方法であって、
端末は、ターゲット特徴情報に基づいて、ターゲットアクセスクラスバーリングＡＣＢ制御パラメータを確定し、前記ターゲット特徴情報が、前記端末の優先度、伝送待ちデータの所属するサービスのサービス情報及び伝送待ちデータの所属するサービスの所属するコアネットワークのコアネットワーク情報のうちの少なくとも１つを含むステップと、
前記端末は、前記ターゲットＡＣＢ制御パラメータに基づいてネットワーク機器にアクセスするステップと
を含むことを特徴とする、アクセス方法。
【請求項２】
前記伝送待ちデータの所属するサービスのサービス情報は、
前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質ＱｏＳのうちの少なくとも１つを含むことを特徴とする
請求項１に記載の方法。
【請求項３】
前記伝送待ちデータの所属するサービスの所属するコアネットワークのコアネットワーク情報は、
前記コアネットワークのコアネットワークタイプ、前記コアネットワークのコアネットワーク識別子及び前記コアネットワークの所属する公衆携帯電話網ＰＬＭＮの識別子のうちの少なくとも１つを含むことを特徴とする
請求項１又は２に記載の方法。
【請求項４】
前記ターゲット特徴情報は前記端末のアクセスクラスＡＣを更に含むことを特徴とする
請求項１−３のうちいずれか１項に記載の方法。
【請求項５】
前記端末がターゲット特徴情報に基づいて、ターゲットアクセスクラスバーリングＡＣＢ制御パラメータを確定することは、
前記端末は、前記ターゲット特徴情報、及び特徴情報とＡＣＢ制御パラメータとのマッピング関係に基づいて、前記ターゲットＡＣＢ制御パラメータを確定することを含むことを特徴とする
請求項１−４のうちいずれか１項に記載の方法。
【請求項６】
前記ターゲット特徴情報は、前記伝送待ちデータの所属するサービスの所属するコアネットワークのコアネットワーク情報であり、
前記端末が前記ターゲット特徴情報、及び特徴情報とＡＣＢ制御パラメータとのマッピング関係に基づいて、前記ターゲットＡＣＢ制御パラメータを確定することは、
前記端末は、前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定することを含むことを特徴とする
請求項５に記載の方法。
【請求項７】
前記特徴情報は前記伝送待ちデータの所属するサービスのサービス情報であり、
前記端末が前記ターゲット特徴情報、及び特徴情報とＡＣＢ制御パラメータとのマッピング関係に基づいて、前記ターゲットＡＣＢ制御パラメータを確定することは、
前記端末は、前記伝送待ちデータの所属するサービスのサービス情報、及びサービス情報並びにＡＣＢ制御パラメータに基づいて、前記ターゲットＡＣＢ制御パラメータを確定することを含むことを特徴とする
請求項５に記載の方法。
【請求項８】
前記端末が前記ＡＣＢ制御パラメータに基づいてネットワーク機器にアクセスすることは、
前記端末は、前記ＡＣＢ制御パラメータに基づいて前記ネットワーク機器と無線リソース制御ＲＲＣ接続を確立すること、
前記端末は、前記ＡＣＢ制御パラメータに基づいて前記ネットワーク機器と非アクセス層ＮＡＳ接続を確立すること、
前記端末は、前記ネットワーク機器にアップリンクスケジューリング要求ＳＲを送信することのうちのいずれか１つを含むことを特徴とする
請求項１−７のうちいずれか１項に記載の方法。
【請求項９】
前記方法は更に、
前記端末は、前記伝送待ちデータの所属するサービスのサービス情報に基づいて、前記伝送待ちデータを伝送するベアラーを確定すること、
前記端末は、前記伝送待ちデータの所属するサービスのサービス情報に基づいて、前記伝送待ちデータを伝送するデータスクリームを確定すること、
前記端末は、前記伝送待ちデータの所属するサービスのサービス情報に基づいて、前記伝送待ちデータを伝送するロジックチャネルを確定することのうちの少なくとも１つを含むことを特徴とする
請求項１−８のうちいずれか１項に記載の方法。
【請求項１０】
前記ＡＣＢ制御パラメータは、アクセス許容識別子及びアクセス禁止識別子を含み、前記アクセス許容識別子は、前記端末に前記ネットワーク機器へのアクセスを指示するために用いられ、前記アクセス禁止識別子は、前記ネットワーク機器へのアクセスを禁止するように前記端末に指示するために用いられ、
前記端末が前記ターゲットＡＣＢ制御パラメータに基づいてネットワーク機器にアクセスすることは、
前記端末は、前記アクセス許容識別子に基づいて前記ネットワーク機器にアクセスすること、
又は前記端末は、前記アクセス禁止識別子に基づいて前記ネットワーク機器にアクセスしないことを含むことを特徴とする
請求項１−９のうちいずれか１項に記載の方法。
【請求項１１】
前記ＡＣＢ制御パラメータは、アクセス確率及び／又はアクセスクラスＡＣ禁止時間を含み、
前記方法は更に、
前記端末は、ターゲットアクセス確率を確定することを更に含み、
前記端末が前記ターゲットＡＣＢ制御パラメータに基づいてネットワーク機器にアクセスすることは、
前記ターゲットアクセス確率が前記アクセス確率以下であり、且つ前記ＡＣ禁止時間を経過すると、前記端末は、前記ネットワーク機器にアクセスすること、又は
前記ターゲットアクセス確率が前記アクセス確率より大きい場合、前記端末は、前記ネットワーク機器にアクセスすることを含むことを特徴とする
請求項１−９のうちいずれか１項に記載の方法。
【請求項１２】
端末であって、
ターゲット特徴情報に基づいて、ターゲットアクセスクラスバーリングＡＣＢ制御パラメータを確定するように構成される確定ユニットであって、前記ターゲット特徴情報が、前記端末の優先度、伝送待ちデータの所属するサービスのサービス情報、及び伝送待ちデータの所属するサービスの所属するコアネットワークのコアネットワーク情報のうちの少なくとも１つを含む、確定ユニットと、
前記確定ユニットにより確定される前記ターゲットＡＣＢ制御パラメータに基づいてネットワーク機器にアクセスするように構成されるアクセスユニットと、を備えることを特徴とする端末。
【請求項１３】
前記伝送待ちデータの所属するサービスのサービス情報は、
前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ、及び前記伝送待ちデータの所属するサービスの伝送に必要なサービス品質ＱｏＳのうちの少なくとも１つを含むことを特徴とする
請求項１２に記載の端末。
【請求項１４】
前記伝送待ちデータの所属するサービスの所属するコアネットワークのコアネットワーク情報は、
前記コアネットワークのコアネットワークタイプ、前記コアネットワークのコアネットワーク識別子及び前記コアネットワークの所属する公衆携帯電話網ＰＬＭＮの識別子のうちの少なくとも１つを含むことを特徴とする
請求項１２又は１３に記載の端末。
【請求項１５】
前記ターゲット特徴情報は前記端末のアクセスクラスＡＣを更に含むことを特徴とする
請求項１２−１４のうちいずれか１項に記載の端末。
【請求項１６】
前記確定ユニットは具体的には、
前記ターゲット特徴情報、及び特徴情報とＡＣＢ制御パラメータとのマッピング関係に基づいて、前記ターゲットＡＣＢ制御パラメータを確定するように構成されることを特徴とする
請求項１２−１５のうちいずれか１項に記載の端末。
【請求項１７】
前記ターゲット特徴情報は、前記伝送待ちデータの所属するサービスの所属するコアネットワークのコアネットワーク情報であり、
前記確定ユニットは具体的には更に、
前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定するように構成されることを特徴とする
請求項１６に記載の端末。
【請求項１８】
前記特徴情報は前記伝送待ちデータの所属するサービスのサービス情報であり、
前記確定ユニットは具体的には更に、
前記伝送待ちデータの所属するサービスのサービス情報、及びサービス情報並びにＡＣＢ制御パラメータに基づいて、前記ターゲットＡＣＢ制御パラメータを確定するように構成されることを特徴とする
請求項１６に記載の端末。
【請求項１９】
前記アクセスユニットは具体的には、
前記ＡＣＢ制御パラメータに基づいて前記ネットワーク機器と無線リソース制御ＲＲＣ接続を確立すること、
前記ＡＣＢ制御パラメータに基づいて前記ネットワーク機器と非アクセス層ＮＡＳ接続を確立すること、及び
前記ネットワーク機器にアップリンクスケジューリング要求ＳＲを送信することのうちのいずれか１つを実行するように構成されることを特徴とする
請求項１２−１８のうちいずれか１項に記載の端末。
【請求項２０】
確定ユニットは更に、
前記伝送待ちデータの所属するサービスのサービス情報に基づいて、前記伝送待ちデータを伝送するベアラーを確定すること、
前記伝送待ちデータの所属するサービスのサービス情報に基づいて、前記伝送待ちデータを伝送するデータスクリームを確定すること、
前記伝送待ちデータの所属するサービスのサービス情報に基づいて、前記伝送待ちデータを伝送するロジックチャネルを確定することのうちの少なくとも１つを実行するように構成されることを特徴とする
請求項１２−１９のうちいずれか１項に記載の端末。
【請求項２１】
前記ＡＣＢ制御パラメータは、アクセス許容識別子及びアクセス禁止識別子を含み、前記アクセス許容識別子は、前記端末に前記ネットワーク機器へのアクセスを指示するために用いられ、前記アクセス禁止識別子は、前記ネットワーク機器へのアクセスを禁止するように前記端末に指示するために用いられ、
前記アクセスユニットは具体的には、
前記アクセス許容識別子に基づいて前記ネットワーク機器にアクセスし、又は
前記アクセス禁止識別子に基づいて前記ネットワーク機器にアクセスしないように構成されることを特徴とする
請求項１２−２０のうちいずれか１項に記載の端末。
【請求項２２】
前記ＡＣＢ制御パラメータは、アクセス確率及び／又はアクセスクラスＡＣ禁止時間を含み、
前記確定ユニットは更に、ターゲットアクセス確率を確定するように構成され、
前記アクセスユニットは具体的には、
前記ターゲットアクセス確率が前記アクセス確率以下であり、且つ前記ＡＣ禁止時間を経過すると、前記ネットワーク機器にアクセスし、又は前記ターゲットアクセス確率が前記アクセス確率より大きい場合、前記ネットワーク機器にアクセスするように構成されることを特徴とする
請求項１２−２０のうちいずれか１項に記載の端末。
【発明の詳細な説明】
【技術分野】
【０００１】
本出願は通信分野に関し、より具体的には、アクセス方法及び端末に関する。
【背景技術】
【０００２】
マシンツーマシン（Ｍａｃｈｉｎｅ  ｔｏ  Ｍａｃｈｉｎｅ：Ｍ２Ｍ）通信において、マシン型通信（Ｍａｃｈｉｎｅ  Ｔｙｐｅ  Ｃｏｍｍｕｎｉｃａｔｉｏｎ：ＭＴＣ）機器の数が多いため、ＭＴＣ機器が広く利用される場合、ネットワークはオーバーロード状態になってしまう。例えば、１つのセルに停電故障が突発した場合、電源が回復する時、数多くのＭＴＣ機器が同時にネットワークへアクセスしようとすることがあり、これにより、ネットワークはオーバーロード状態になってしまう。現在、ロングタームエボリューション（Ｌｏｎｇ  Ｔｅｒｍ  Ｅｖｏｌｕｔｉｏｎ：ＬＴＥ）システムにおいて、アクセスネットワークに対するオーバーロード制御は、アクセスクラスバーリング（Ａｃｃｅｓｓ  Ｃｌａｓｓ  Ｂａｒｒｉｎｇ：ＡＣＢ）メカニズムによってシステムに同時にアクセスする端末の数を制御することができる。
【０００３】
しかしながら、ＡＣＢメカニズムにおいて、端末のアクセスクラス（Ａｃｃｅｓｓ  Ｃｌａｓｓ：ＡＣ）に基づいてしか、端末のネットワークへのアクセスのＡＣＢ制御パラメータを確定することができないため、端末のネットワークへのアクセスのＡＣＢ制御パラメータを確定する方法は単一である。
【発明の概要】
【発明が解決しようとする課題】
【０００４】
本発明はアクセス方法及び端末を提供することにより、ＡＣＢメカニズムにおける端末のネットワークへのアクセスのＡＣＢ制御パラメータを確定する方法の多様性を向上させる。
【課題を解決するための手段】
【０００５】
第１態様によれば、アクセス方法を提供する。該方法は、端末がターゲット特徴情報に基づいて、ターゲットアクセスクラスバーリングＡＣＢ制御パラメータを確定し、前記ターゲット特徴情報が、前記端末の優先度、伝送待ちデータの所属するサービスのサービス情報及び伝送待ちデータの所属するサービスの所属するコアネットワークのコアネットワーク情報のうちの少なくとも１つを含むステップと、前記端末が前記ターゲットＡＣＢ制御パラメータに基づいてネットワーク機器にアクセスするステップとを含む。
【０００６】
本発明の実施例において、ターゲット特徴情報に基づいて端末のターゲットＡＣＢ制御パラメータを確定する。例えば、前記端末の優先度、前記伝送待ちデータの所属するサービスのサービス情報及び前記伝送待ちデータの所属するサービスの所属するコアネットワークのコアネットワーク情報のうちのいずれか１つに基づいてＡＣＢ制御パラメータを確定することにより、ＡＣＢメカニズムにおける端末のネットワークへのアクセスのＡＣＢ制御パラメータを確定する方法の多様性を向上させることができる。
【０００７】
更に、ターゲット特徴情報に異なる情報の組み合わせが含まれることにより、ＡＣＢ制御パラメータを確定することで、ＡＣＢ制御パラメータの確定の合理性を向上させることができる。
【０００８】
第１態様による実現可能な実現形態において、前記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質ＱｏＳのうちの少なくとも１つを含む。
【０００９】
第１態様による実現可能な実現形態において、前記伝送待ちデータの所属するサービスの所属するコアネットワークのコアネットワーク情報は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００１０】
第１態様による実現可能な実現形態において、前記ターゲット特徴情報は前記端末のアクセスクラスＡＣを更に含む。
【００１１】
本発明の実施例において、アクセスクラスＡＣ及び他のターゲット特徴情報によりＡＣＢ制御パラメータを確定することで、従来技術よりＡＣＢ制御パラメータに影響を与える要因を更に細かくし、確定されるＡＣＢ制御パラメータをより合理的にすることができる。
【００１２】
第１態様による実現可能な実現形態において、前記端末がターゲット特徴情報に基づいて、ターゲットアクセスクラスバーリングＡＣＢ制御パラメータを確定することは、前記端末が前記ターゲット特徴情報、及び特徴情報とＡＣＢ制御パラメータとのマッピング関係に基づいて、前記ターゲットＡＣＢ制御パラメータを確定することを含む。
【００１３】
第１態様による実現可能な実現形態において、前記ターゲット特徴情報は、前記伝送待ちデータの所属するサービスの所属するコアネットワークのコアネットワーク情報である。前記端末が前記ターゲット特徴情報及び特徴情報とＡＣＢ制御パラメータとのマッピング関係に基づいて、前記ターゲットＡＣＢ制御パラメータを確定することは、前記端末が前記伝送待ちデータの所属するサービスの所属するコアネットワークのコアネットワーク情報及びコアネットワーク情報とＡＣＢ制御パラメータとのマッピング関係に基づいて、前記ターゲットＡＣＢ制御パラメータを確定することを含む。
【００１４】
第１態様による実現可能な実現形態において、前記特徴情報は、前記伝送待ちデータの所属するサービスのサービス情報である。前記端末が前記ターゲット特徴情報及び特徴情報とＡＣＢ制御パラメータとのマッピング関係に基づいて、前記ターゲットＡＣＢ制御パラメータを確定することは、前記端末が前記伝送待ちデータの所属するサービスのサービス情報、及びサービス情報並びにＡＣＢ制御パラメータに基づいて、前記ターゲットＡＣＢ制御パラメータを確定することを含む。
【００１５】
第１態様による実現可能な実現形態において、前記端末が前記ＡＣＢ制御パラメータに基づいてネットワーク機器にアクセスすることは、前記端末が前記伝送待ちデータの所属するサービスのサービス情報に基づいて、前記伝送待ちデータを伝送するベアラーを確定すること、前記端末が前記伝送待ちデータの所属するサービスのサービス情報に基づいて、前記伝送待ちデータを伝送するデータスクリームを確定すること、前記端末が前記伝送待ちデータの所属するサービスのサービス情報に基づいて、前記伝送待ちデータを伝送するロジックチャネルを確定することのうちのいずれか１つを含む。
【００１６】
本発明の実施例において、端末はＲＲＣ接続状態又はＲＲＣアイドル状態であってもよい。端末はＡＣＢ制御メカニズムに基づいてネットワークにアクセスしてから、ネットワーク機器とＲＲＣ接続又はＮＡＳ接続を確立することができる。端末は更に、ネットワーク機器にアップリンクスケジューリング要求を送信することができる。つまり、ＡＣＢ制御メカニズムはＲＲＣ接続状態にある端末のネットワーク機器へのアクセスに適用することもできる。これにより従来技術におけるＲＲＣアイドル状態にある端末以外に、ＡＣＢ制御メカニズムに基づいてネットワーク機器にアクセスすることができないという規定を避ける。
【００１７】
第１態様による実現可能な実施形態において、前記方法は、前記端末が前記伝送待ちデータの所属するサービスのサービス情報に基づいて、前記伝送待ちデータを伝送するベアラーを確定すること、前記端末が前記伝送待ちデータの所属するサービスのサービス情報に基づいて、前記伝送待ちデータを伝送するデータストリームを確定すること、前記端末が前記伝送待ちデータの所属するサービスのサービス情報に基づいて、前記伝送待ちデータを伝送するロジックチャネルを確定することのうちの少なくとも１つを更に含む。
【００１８】
本出願の実施例において、端末が伝送待ちデータの所属するサービスのサービス情報に基づいてネットワークにアクセスしてから、直接的に上記サービス情報に基づいて該サービスを伝送するベアラー、ロジックチャネル又はデータストリームを確定することができ、データ伝送フローを節約する。
【００１９】
第１態様による実現可能な実現形態において、前記ＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記ネットワーク機器へのアクセスを禁止するように前記端末に指示するために用いられる。前記端末が前記ターゲットＡＣＢ制御パラメータに基づいてネットワーク機器にアクセスすることは、前記端末が前記アクセス許容識別子に基づいて前記ネットワーク機器にアクセスすること、又は前記端末が前記アクセス禁止識別子に基づいて前記ネットワーク機器にアクセスしないことを含む。
【００２０】
第１態様による実現可能な実現形態において、前記ＡＣＢ制御パラメータは、アクセス確率及び／又はアクセスクラスＡＣ禁止時間を含む。前記方法は、前記端末がターゲットアクセス確率を確定することを更に含む。前記端末が前記ターゲットＡＣＢ制御パラメータに基づいてネットワーク機器にアクセスすることは、前記ターゲットアクセス確率が前記アクセス確率以下であり、且つ前記ＡＣ禁止時間を経過すると、前記端末が前記ネットワーク機器にアクセスすること、又は前記ターゲットアクセス確率が前記アクセス確率より大きい場合、前記端末が前記ネットワーク機器にアクセスすることを含む。
【００２１】
第２態様によれば、第１態様における方法を実行するためのモジュールを含む端末を提供する。
【００２２】
第３態様によれば、メモリ、プロセッサ及び送受信機を含む端末を提供する。前記メモリはプログラムを記憶するように構成され、前記プロセッサはプログラムを実行するように構成される。前記プログラムが実行される時、前記プロセッサは前記送受信機に基づいて第１態様における方法を実行する。
【００２３】
第4態様によれば、コンピュータ読み取り可能な媒体を提供する。前記コンピュータ読み取り可能な媒体は、実行されるプログラムコードを記憶する。前記プログラムコードは第１態様における方法を実行するための命令を含む。
【００２４】
本出願の実施例において、ターゲット特徴情報に基づいて、端末のターゲットＡＣＢ制御パラメータを確定する。例えば、前記端末の優先度、前記伝送待ちデータの所属するサービスのサービス情報及び前記伝送待ちデータの所属するサービスの所属するコアネットワークのコアネットワーク情報のうちのいずれか１つに基づいてＡＣＢ制御パラメータを確定し、ＡＣＢメカニズムにおける端末のネットワークへのアクセスのＡＣＢ制御パラメータを確定する方法の多様性を向上させる。
【００２５】
更に、ターゲット特徴情報に異なる情報の組み合わせが含まれることにより、ＡＣＢ制御パラメータを確定することで、ＡＣＢ制御パラメータの確定の合理性を向上させることができる。
【図面の簡単な説明】
【００２６】
【図１】本出願の実施例に適用される無線通信システム１００を示す。
【図２】本出願の実施例によるアクセス方法を示す概略的フローチャートである。
【図３】本出願の実施例による端末を示す概略的構成図である。
【図４】本出願の別の実施例による端末を示す概略的ブロック図である。
【発明を実施するための形態】
【００２７】
以下に、図面と関連付けて本発明の実施例における技術的解決手段を説明する。
【００２８】
図１は本出願の実施例に適用される無線通信システム１００を示す。該無線通信システム１００は、ネットワーク機器１１０を含むことができる。ネットワーク機器１１０は端末機器と通信する機器であってもよい。ネットワーク機器１００は、所定の地理的エリアに通信カバーを提供し、かつ該カバレッジエリア内に位置する端末機器と通信することができる。
【００２９】
図１は１つのネットワーク機器及び２つの端末を例示的に示す。任意選択的に、該無線通信システム１００は、複数のネットワーク機器を含むことができ、且つ各ネットワークのカバレッジ範囲内に他の数の端末が含まれてもよく、本発明の実施例はこれを限定するものではない。
【００３０】
任意選択的に、該無線通信システム１００は、ネットワークコントローラ、モバイル管理エンティティ等の他のネットワークエンティティを含むこともできるが、本発明の実施例はこれを限定するものではない。
【００３１】
理解すべきものとして、本発明の実施例の技術的解決手段は、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、長期進化型（Ｌｏｎｇ  Ｔｅｒｍ  Ｅｖｏｌｕｔｉｏｎ：ＬＴＥ）システム、高度な長期進化型（Ａｄｖａｎｃｅｄ  ｌｏｎｇ  ｔｅｒｍ  ｅｖｏｌｕｔｉｏｎ：ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ＮＲ（Ｎｅｗ  Ｒａｄｉｏ  Ａｃｃｅｓｓ  Ｔｅｃｈｎｏｌｏｇｙ）、５Ｇ等のような様々な通信システムに適用することができる。
【００３２】
更に理解すべきものとして、本発明の実施例において、端末機器は、モバイルステーション（Ｍｏｂｉｌｅ  Ｓｔａｔｉｏｎ：ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザ機器（Ｕｓｅｒ  Ｅｑｕｉｐｍｅｎｔ：ＵＥ）、ハンドセット（ｈａｎｄｓｅｔ）、携帯機器（ｐｏｒｔａｂｌｅ  ｅｑｕｉｐｍｅｎｔ）等を含んでもよいが、これらに限定されない。該端末機器は無線アクセスネットワーク（Ｒａｄｉｏ  Ａｃｃｅｓｓ  Ｎｅｔｗｏｒｋ：ＲＡＮ）を経由して１つ又は複数のコアネットワークと通信することができる。例えば、端末機器は携帯電話（又はセルラー電話と呼ばれる）、無線通信機能を有するコンピュータ等であってもよく、端末機器はポータブル型、コンパクト型、ハンドヘルド型、コンピュータ内蔵型又は車載型移動装置であってもよい。
【００３３】
本発明の実施例において、ネットワーク機器はアクセスネットワーク機器であってもよく、例えば、基地局、送受信ポイント（Ｔｒａｎｓｍｉｔ  ａｎｄ  Ｒｅｃｅｉｖｅ  Ｐｏｉｎｔ：ＴＲＰ）又はアクセスポイントであってもよい。基地局は、ＧＳＭ又はＣＤＭＡにおける基地局（Ｂａｓｅ  Ｔｒａｎｓｃｅｉｖｅｒ  Ｓｔａｔｉｏｎ：ＢＴＳ）であってもよく、ＷＣＤＭＡにおける基地局（ＮｏｄｅＢ）であってもよく、さらに、ＬＴＥにおける進化型基地局（ｅｖｏｌｖｅｄ  Ｎｏｄｅ  Ｂ：ｅＮＢ又はｅ−ＮｏｄｅＢ）であってもよく、さらにＮＲ又は５Ｇの基地局（ｇＮＢ）であってもよく、本発明の実施例はこれを限定するものではない。
【００３４】
図２は本出願の実施例によるアクセス方法を示す概略的フローチャートである。図２に示す方法は、以下を含む。
【００３５】
ステップ２１０、端末がターゲット特徴情報に基づいて、ターゲットアクセスクラスバーリングＡＣＢ制御パラメータを確定する。前記ターゲット特徴情報は、前記端末の優先度、前記伝送待ちデータの所属するサービスのサービス情報、及び前記伝送待ちデータの所属するサービスの所属するコアネットワークのコアネットワーク情報のうちの少なくとも１つを含む。
【００３６】
具体的には、上記端末の優先度は、端末のタイプに基づいて確定された優先度であってもよく、タイプの異なる端末は、異なる優先度に対応することができる。
【００３７】
理解すべきものとして、上記端末の優先度は、端末の出荷時に予め設定されたものであってもよい。
【００３８】
任意選択的に、上記伝送待ちデータの所属するサービスのサービス情報は、伝送待ちデータの属性特徴であってもよい。上記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質（Ｑｕａｌｉｔｙ  ｏｆ  Ｓｅｒｖｉｃｅ：ＱｏＳ）のうちの少なくとも１つを含む。
【００３９】
具体的には、上記伝送待ちデータの所属するサービスの伝送によりトリガーされる発呼タイプは、伝送待ちデータの所属するサービスの伝送によりトリガーされる発呼原因であってもよい。例えば、緊急発呼、端末によるシグナリング発呼、端末によるデータ発呼、マルチメディア言語発呼及びマルチメディアビデオ発呼等である。
【００４０】
上記伝送待ちデータの所属するサービスのアプリケーションレベルは、伝送待ちデータの所属するサービスのアプリケーションの優先度であってもよい。
【００４１】
任意選択的に、前記コアネットワークの属性特徴は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００４２】
具体的には、上記コアネットワークのコアネットワークタイプは回線交換ドメインのコアネットワーク及びパケット交換ドメインのコアネットワークを含むことができる。
【００４３】
任意選択的に、前記ターゲット特徴情報は前記端末のアクセスクラス（Ａｃｃｅｓｓ  Ｃｌａｓｓ：ＡＣ）を更に含むことができる。
【００４４】
具体的には、上記端末のＡＣはＡＣＢメカニズムに基づいて端末のために設定されるＡＣであってもよい。事業者は端末のクラスを１６個のＡＣと定義することができる。ここで、ＡＣ０−９は一般的なクラスに属し、端末にランダムに分配することができる。ＡＣ１０は緊急発呼可能な端末に対応することができる。ＡＣ１１はネットワーク操作に用いることができる。ＡＣ１２はセキュリティサービスを伝送する端末に対応することができる。ＡＣ１３は公共サービスタイプ（例えば、水、ガスのサプライヤー）の端末に対応することができる。ＡＣ１４は、緊急サービスの伝送を必要とする端末に対応することができる。ＡＣ１５は、事業者のスタッフの端末に対応することができる。１つの端末はＡＣ０−ＡＣ９のうちの１つ、及びＡＣ１１−ＡＣ１５のうちの1つ又は複数のクラスに配置することができる。これらのアクセス情報は、加入者識別モジュール（Ｓｕｂｓｃｒｉｂｅｒ  Ｉｄｅｎｔｉｆｉｃａｔｉｏｎ  Ｍｏｄｕｌｅ：ＳＩＭ）カードに格納することができる。
【００４５】
なお、端末の優先度及びアクセスクラスは、２つのディメンションのものである。端末の優先度は端末のタイプに基づいて確定されるものであってもよい。例えば、携帯電話の優先度が、電流計の優先度より高くてもよい。しかしながら、携帯電話の優先度が高いが、携帯電話のアクセスクラスが高いことを表すものではなく、つまり、優先度の高い携帯電話は、低いアクセスクラスに対応することができる。
【００４６】
ステップ２２０、前記端末が前記ターゲットＡＣＢ制御パラメータに基づいてネットワーク機器にアクセスする。
【００４７】
具体的には、上記端末がターゲットＡＣＢ制御パラメータに基づいてネットワーク機器にアクセスすることは、端末がターゲットＡＣＢ制御パラメータに基づいてネットワーク機器にアクセスすることを含んでもよく、端末がターゲットＡＣＢ制御パラメータに基づいてネットワーク機器にアクセスしないことを含んでもよい。
【００４８】
任意選択的に、上記ＡＣＢ制御パラメータは、アクセス確率及び／又はアクセスクラスＡＣ禁止時間（Ｂａｒｒｉｎｇ  Ｔｉｍｅ）を含む。
【００４９】
具体的には、上記アクセス確率は禁止ファクター（Ｂａｒｒｉｎｇ  Ｆａｃｔｏｒ）とも呼ばれ、端末がネットワーク機器にアクセスできるかどうかを確定する。上記ＡＣ禁止時間は、端末のネットワーク機器へのアクセスが禁止される時、端末が次のネットワークへのアクセスを開始する前の必要な待ち時間を指示するために用いることができる。
【００５０】
なお、上記ＡＣ禁止時間は、端末が次のネットワークへのアクセスを開始する前の必要な待ち時間、例えば５ｓを直接的に指示することができる。上記ＡＣ禁止時間は、端末が次のネットワークへのアクセスを開始する前の必要な待ち時間を間接的に指示することができる。例えば、ＡＣ禁止時間は、ＡＣ禁止時間を算出するためのランダム関数における入力ファクターであってもよい。
【００５１】
任意選択的に、上記ＡＣＢ制御パラメータは端末のアクセスを許容するアクセス識別子及び端末のアクセスを禁止するアクセス識別子を含んでもよい。
【００５２】
任意選択的に、１つの実施例として、前記端末がターゲット特徴情報に基づいて、ターゲットアクセスクラスバーリングＡＣＢ制御パラメータを確定することは、前記端末が、前記ターゲット特徴情報及び特徴情報とＡＣＢ制御パラメータとのマッピング関係に基づいて、前記ターゲットＡＣＢ制御パラメータを確定することを含む。
【００５３】
なお、上記特徴情報とＡＣＢ制御パラメータとのマッピング関係は、ネットワーク機器により端末のために配置されるものであってもよく、上記特徴情報とＡＣＢ制御パラメータとのマッピング関係はプロトコルにより規定されるものであってもよい。
【００５４】
任意選択的に、１つの実施例として、前記ターゲット特徴情報は、前記伝送待ちデータの所属するサービスの所属するコアネットワークのコアネットワーク情報である。前記端末が前記ターゲット特徴情報、及び特徴情報とＡＣＢ制御パラメータとのマッピング関係に基づいて、前記ターゲットＡＣＢ制御パラメータを確定することは、前記端末が前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定することを含む。
【００５５】
なお、上記コアネットワーク情報とＡＣＢ制御パラメータとのマッピング関係は、ネットワーク機器により端末のために配置されるものであってもよい。上記コアネットワーク情報とＡＣＢ制御パラメータとのマッピング関係は、プロトコルにより規定されるものであってもよい。
【００５６】
任意選択的に、１つの実施例として、前記特徴情報は、前記伝送待ちデータの所属するサービスのサービス情報である。前記端末が前記ターゲット特徴情報、及び特徴情報とＡＣＢ制御パラメータとのマッピング関係に基づいて、前記ターゲットＡＣＢ制御パラメータを確定することは、前記端末が、前記伝送待ちデータの所属するサービスの属するサービス情報、及びサービス情報とＡＣＢ制御パラメータとのマッピング関係に基づいて、前記ターゲットＡＣＢ制御パラメータを確定する。
【００５７】
なお、上記サービス情報とＡＣＢ制御パラメータとのマッピング関係はネットワーク機器により端末のために配置されるものであってもよい。上記サービス情報とＡＣＢ制御パラメータとのマッピング関係は、プロトコルにより規定されるものであってもよい。
【００５８】
任意選択的に、１つの実施例として、前記端末が前記ＡＣＢ制御パラメータに基づいてネットワーク機器にアクセスすることは、前記端末が前記ＡＣＢ制御パラメータに基づいて前記ネットワーク機器と無線リソース制御（Ｒａｄｉｏ  Ｒｅｓｏｕｒｃｅ  Ｃｏｎｔｒｏｌ：ＲＲＣ）接続を確立すること、前記端末が前記ＡＣＢ制御パラメータに基づいて前記ネットワーク機器と非アクセス層ＮＡＳ接続を確立すること、前記端末が前記ネットワーク機器にアップリンクスケジューリング要求ＳＲを送信することのうちのいずれか１つを含む。
【００５９】
具体的には、上記端末が前記ＡＣＢ制御パラメータに基づいて前記ネットワーク機器と無線リソース制御ＲＲＣ接続を確立することは、ＲＲＣアイドル状態にある端末がネットワーク機器（例えば、アクセスネットワーク機器）とＲＲＣ接続を確立できることを指す。
【００６０】
上記端末が前記ＡＣＢ制御パラメータに基づいて前記ネットワーク機器と非アクセス層ＮＡＳ接続を確立することは、ＲＲＣ接続状態にある端末がネットワーク機器（例えば、コアネットワーク機器）と非アクセス層ＮＡＳ接続を確立できることを指す。
【００６１】
上記ＲＲＣ接続状態にある端末はターゲットＡＣＢ制御パラメータに基づいてネットワーク機器にアクセスしてから、ネットワーク機器にアップリンクスケジューリング要求（Ｓｃｈｅｄｕｌｉｎｇ  Ｒｅｑｕｅｓｔ：ＳＲ）を直ちに送信することができる。
【００６２】
任意選択的に、１つの実施例として、前記方法は、前記端末が前記伝送待ちデータの所属するサービスのサービス情報に基づいて、前記伝送待ちデータを伝送するベアラーを確定すること、前記端末が前記伝送待ちデータの所属するサービスのサービス情報に基づいて、前記伝送待ちデータを伝送するデータストリームを確定すること、前記端末が前記伝送待ちデータの所属するサービスのサービス情報に基づいて、前記伝送待ちデータを伝送するロジックチャネルを確定することのうちの少なくとも１つを更に含む。
【００６３】
任意選択的に、１つの実施例として、ＡＣＢ制御パラメータとベアラーとの間にマッピング関係が存在する。前記端末が前記伝送待ちデータの所属するサービスのサービス情報に基づいて前記ターゲットＡＣＢ制御パラメータを確定することは、前記端末が前記伝送待ちデータの所属するサービスのサービス情報に基づいて、ターゲットベアラーを確定すること、前記端末が前記ターゲットベアラー、及びＡＣＢ制御パラメータとベアラーとのマッピング関係に基づいて、前記ターゲットＡＣＢ制御パラメータを確定することを含む。
【００６４】
任意選択的に、１つの実施例として、ＡＣＢ制御パラメータとデータストリームとの間にマッピング関係が存在する。前記端末が前記伝送待ちデータの所属するサービスのサービス情報に基づいて前記ターゲットＡＣＢ制御パラメータを確定することは、前記端末が前記伝送待ちデータの所属するサービスのサービス情報に基づいて、ターゲットロジックチャネルを確定すること、前記端末が前記ターゲットロジックチャネル、及びＡＣＢ制御パラメータとロジックチャネルとのマッピング関係に基づいて、前記ターゲットＡＣＢ制御パラメータを確定することを含む。
【００６５】
任意選択的に、１つの実施例として、ＡＣＢ制御パラメータとロジックチャネルとの間にマッピング関係が存在する。前記端末が前記伝送待ちデータの所属するサービスのサービス情報に基づいて前記ターゲットＡＣＢ制御パラメータを確定することは、前記端末が前記伝送待ちデータの所属するサービスのサービス情報に基づいて、ターゲットデータストリームを確定すること、前記端末が前記ターゲットデータストリーム、及びＡＣＢ制御パラメータとデータストリームとのマッピング関係に基づいて、前記ターゲットＡＣＢ制御パラメータを確定することを含む。
【００６６】
任意選択的に、１つの実施例として、前記ＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記端末の前記ネットワーク機器へのアクセスを禁止するために用いられる。前記端末は前記ターゲットＡＣＢ制御パラメータに基づいてネットワーク機器にアクセスすることは、前記端末が前記アクセス許容識別子に基づいて前記ネットワーク機器にアクセスすること、又は前記端末が前記アクセス禁止識別子に基づいて前記ネットワーク機器にアクセスしないことを含む。
【００６７】
任意選択的に、１つの実施例として、前記ＡＣＢ制御パラメータは、アクセス確率及び／又はアクセスクラスＡＣ禁止時間を含む。前記方法は、前記端末がターゲットアクセス確率を確定することを更に含む。前記端末が前記ターゲットＡＣＢ制御パラメータに基づいてネットワーク機器にアクセスすることは、前記ターゲットアクセス確率が前記アクセス確率以下であり、且つ前記ＡＣ禁止時間を経過すると、前記端末が前記ネットワーク機器にアクセスすること、又は前記ターゲットアクセス確率が前記アクセス確率より大きい場合、前記端末が前記ネットワーク機器にアクセスすることを含む。
【００６８】
以上に、図１及び図２と関連付けて本出願の実施例のアクセス方法を詳しく説明した。以下に、図３及び図４と関連付けて本出願の実施例の端末を詳しく説明する。理解すべきものとして、図３及び図４に示す端末は、図２における各ステップを実現することができる。重複を避けるために、ここで詳しい説明を省略する。
【００６９】
図３は本出願の実施例による端末を示す概略的構成図である。図３に示す端末３００は、確定ユニット３１０とアクセスユニット３２０とを含む。
【００７０】
確定ユニット３１０は、ターゲット特徴情報に基づいて、ターゲットアクセスクラスバーリングＡＣＢ制御パラメータを確定するように構成される。前記ターゲット特徴情報は、前記端末の優先度、前記伝送待ちデータの所属するサービスのサービス情報、及び前記伝送待ちデータの所属するサービスの所属するコアネットワークのコアネットワーク情報のうちの少なくとも１つを含む。
【００７１】
アクセスユニット３２０は、前記ターゲットＡＣＢ制御パラメータに基づいてネットワーク機器にアクセスするように構成される。
【００７２】
任意選択的に、１つの実施例として、前記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ、及び前記伝送待ちデータの所属するサービスの伝送に必要なサービス品質ＱｏＳのうちの少なくとも１つを含む。
【００７３】
任意選択的に、１つの実施例として、前記伝送待ちデータの所属するサービスの所属するコアネットワークのコアネットワーク情報は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００７４】
任意選択的に、１つの実施例として、前記ターゲット特徴情報は前記端末のアクセスクラスＡＣを更に含む。
【００７５】
任意選択的に、１つの実施例として、前記確定ユニットは具体的には、前記ターゲット特徴情報、及び特徴情報とＡＣＢ制御パラメータとのマッピング関係に基づいて、前記ターゲットＡＣＢ制御パラメータを確定するように構成される。
【００７６】
任意選択的に、１つの実施例として、前記ターゲット特徴情報は、前記伝送待ちデータの所属するサービスの所属するコアネットワークのコアネットワーク情報である。前記確定ユニットは具体的には更に、前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定するように構成される。
【００７７】
任意選択的に、１つの実施例として、前記特徴情報は前記伝送待ちデータの所属するサービスのサービス情報である。前記確定ユニットは具体的には更に、前記伝送待ちデータの所属するサービスのサービス情報、及びサービス情報並びにＡＣＢ制御パラメータに基づいて、前記ターゲットＡＣＢ制御パラメータを確定するように構成される。
【００７８】
任意選択的に、１つの実施例として、前記アクセスユニットは、前記ＡＣＢ制御パラメータに基づいて前記ネットワーク機器と無線リソース制御ＲＲＣ接続を確立すること、前記ＡＣＢ制御パラメータに基づいて前記ネットワーク機器と非アクセス層ＮＡＳ接続を確立すること、及び前記ネットワーク機器にアップリンクスケジューリング要求ＳＲを送信することのうちのいずれか１つを実行するように構成される。
【００７９】
任意選択的に、１つの実施例として、確定ユニットは更に、前記伝送待ちデータの所属するサービスのサービス情報に基づいて、前記伝送待ちデータを伝送するベアラーを確定すること、前記伝送待ちデータの所属するサービスのサービス情報に基づいて、前記伝送待ちデータを伝送するデータスクリームを確定すること、前記伝送待ちデータの所属するサービスのサービス情報に基づいて、前記伝送待ちデータを伝送するロジックチャネルを確定することのうちの少なくとも１つを実行するように構成される。
【００８０】
任意選択的に、１つの実施例として、前記ＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記ネットワーク機器へのアクセスを禁止するように前記端末に指示するために用いられる。前記アクセスユニットは具体的には、前記アクセス許容識別子に基づいて前記ネットワーク機器にアクセスし、又は前記アクセス禁止識別子に基づいて前記ネットワーク機器にアクセスしないように構成される。
【００８１】
任意選択的に、１つの実施例として、前記ＡＣＢ制御パラメータは、アクセス確率及び／又はアクセスクラスＡＣ禁止時間を含む。前記確定ユニットは更に、ターゲットアクセス確率を確定するように構成される。前記アクセスユニットは具体的には、前記ターゲットアクセス確率が前記アクセス確率以下であり、且つ前記ＡＣ禁止時間を経過すると、前記ネットワーク機器にアクセスし、又は前記ターゲットアクセス確率が前記アクセス確率より大きい場合、前記ネットワーク機器にアクセスするように構成される。
【００８２】
図４は本出願の別の実施例による端末を示す概略的ブロック図である。図４に示す端末４００は、メモリ４１０、プロセッサ４２０、入力／出力インタフェース４３０、及び通信インタフェース４４０を含む。ここで、メモリ４１０、プロセッサ４２０、入力／出力インタフェース４３０及び通信インタフェース４４０は内部接続通路を介して接続される。該メモリ４１０は、命令を記憶するように構成される。該プロセッサ４２０は、該メモリ４２０に記憶される命令を実行し、入力／出力インタフェース４３０を制御して入力されたデータ及び情報を受信し、操作結果等のデータを出力し、通信インタフェース４４０を制御して信号を送信するように構成される。
【００８３】
プロセッサ４２０は、ターゲット特徴情報に基づいて、ターゲットアクセスクラスバーリングＡＣＢ制御パラメータを確定するように構成される。前記ターゲット特徴情報は、前記端末の優先度、前記伝送待ちデータの所属するサービスのサービス情報、及び前記伝送待ちデータの所属するサービスの所属するコアネットワークのコアネットワーク情報のうちの少なくとも１つを含む。プロセッサ４２０は更に、前記ターゲットＡＣＢ制御パラメータに基づいてネットワーク機器にアクセスするように構成される。
【００８４】
理解すべきものとして、本出願の実施例において、該プロセッサ４２０は中央処理装置（Ｃｅｎｔｒａｌ  Ｐｒｏｃｅｓｓｉｎｇ  Ｕｎｉｔ：ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、又は１つや複数の集積回路を用いて、関連プログラムを実行するように構成され、本出願の実施例の提供する技術的解決手段を実現する。
【００８５】
また、理解すべきものとして、通信インタフェース４４０は送受信機のような送受信装置を用いて、Ｄ２Ｄ機器４００と他の機器又は通信ネットワークとの通信を実現するが、これらに限定されない。
【００８６】
該メモリ４１０は、読み取り専用メモリ及びランダムアクセスメモリを含み、プロセッサ４２０に命令及びデータを提供する。プロセッサ４２０の一部は更に非揮発性ランダムアクセスメモリを含んでもよい。例えば、プロセッサ４２０は更に機器タイプ情報を記憶することもできる。
【００８７】
任意選択的に、１つの実施例として、前記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質ＱｏＳのうちの少なくとも１つを含む。
【００８８】
任意選択的に、１つの実施例として、前記伝送待ちデータの所属するサービスの所属するコアネットワークのコアネットワーク情報は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００８９】
任意選択的に、１つの実施例として、前記ターゲット特徴情報は前記端末のアクセスクラスＡＣを更に含む。
【００９０】
任意選択的に、１つの実施例として、前記プロセッサ４２０は具体的には、前記ターゲット特徴情報、及び特徴情報とＡＣＢ制御パラメータとのマッピング関係に基づいて、前記ターゲットＡＣＢ制御パラメータを確定するように構成される。
【００９１】
任意選択的に、１つの実施例として、前記ターゲット特徴情報は、前記伝送待ちデータの所属するサービスの所属するコアネットワークのコアネットワーク情報である。前記プロセッサ４２０は具体的には更に、前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定するように構成される。
【００９２】
任意選択的に、１つの実施例として、前記特徴情報は前記伝送待ちデータの所属するサービスのサービス情報である。前記プロセッサ４２０は具体的には更に、前記伝送待ちデータの所属するサービスのサービス情報、及びサービス情報並びにＡＣＢ制御パラメータに基づいて、前記ターゲットＡＣＢ制御パラメータを確定するように構成される。
【００９３】
任意選択的に、１つの実施例として、前記プロセッサ４２０は具体的には、前記ＡＣＢ制御パラメータに基づいて前記ネットワーク機器と無線リソース制御ＲＲＣ接続を確立すること、前記ＡＣＢ制御パラメータに基づいて前記ネットワーク機器と非アクセス層ＮＡＳ接続を確立すること、及び前記ネットワーク機器にアップリンクスケジューリング要求ＳＲを送信することのうちのいずれか１つを実行するように構成される。
【００９４】
任意選択的に、１つの実施例として、前記プロセッサ４２０は更に、前記伝送待ちデータの所属するサービスのサービス情報に基づいて、前記伝送待ちデータを伝送するベアラーを確定すること、前記伝送待ちデータの所属するサービスのサービス情報に基づいて、前記伝送待ちデータを伝送するデータスクリームを確定すること、前記伝送待ちデータの所属するサービスのサービス情報に基づいて、前記伝送待ちデータを伝送するロジックチャネルを確定することのうちの少なくとも１つを実行するように構成される。
【００９５】
任意選択的に、１つの実施例として、前記ＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記ネットワーク機器へのアクセスを禁止するように前記端末に指示するために用いられる。前記プロセッサ４２０は具体的には、前記アクセス許容識別子に基づいて前記ネットワーク機器にアクセスし、又は前記アクセス禁止識別子に基づいて前記ネットワーク機器にアクセスしないように構成される。
【００９６】
任意選択的に、１つの実施例として、前記ＡＣＢ制御パラメータはアクセス確率及び／又はアクセスクラスＡＣ禁止時間を含む。前記プロセッサ４２０は更に、ターゲットアクセス確率を確定するように構成される。前記プロセッサ４２０は具体的には、前記ターゲットアクセス確率が前記アクセス確率以下であり、且つ前記ＡＣ禁止時間を経過すると、前記ネットワーク機器にアクセスし、又は前記ターゲットアクセス確率が前記アクセス確率より大きい場合、前記ネットワーク機器にアクセスするように構成される。
【００９７】
理解すべきものとして、本出願の実施例において「Ａに対応するＢ」はＢとＡが関連づけられ、Ａに基づいてＢを確定することができることを表す。また、理解すべきものとして、Ａに基づいてＢを確定することは、Ａのみに基づいてＢを確定することを表さず、更にＡ及び／又は他の情報に基づいてＢを確定することもできる。
【００９８】
理解すべきものとして、本文における用語「及び／又は」は、関連する対象の関連関係を表すものに過ぎず、３種類の関係が存在することを表す。例えば、Ａ及び／又はＢは、Ａが独立して存在すること、ＡとＢが同時に存在すること、Ｂが独立して存在することを表す。なお、本分における符号「／」は一般的には、前後に関連した対象が「又は」という関係があることを表す。
【００９９】
理解すべきものとして、本出願の様々な実施例において、上記各プロセスの番号の大きさは実行の優先順位を表すものではなく、各プロセスの実行順番はその機能及びロジックによって確定されるものであり、本出願の実施例の実施プロセスを限定するものではない。
【０１００】
本出願の提供する複数の実施例において、理解すべきものとして、開示されるシステム、装置及び方法は、他の形態によって実現することができる。例えば、上述した装置の実施例は模式的なものに過ぎない。例えば、前記ユニットの分割は、ロジック機能の分割に過ぎず、実際に実現する時に他の分割方法が存在する。例えば、複数のユニット又はアセンブリは別のシステムに結合又は集積されてもよい。又は幾つかの特徴を無視するか、又は実行しなくてもよい。また、表示又は議論される相互結合、直接結合又は通信接続は、幾つかのインタフェース、装置又はユニットを経由した間接結合又は通信接続であってもよい。電気的形態、機械的形態又は他の形態であってもよい。
【０１０１】
分割部材として説明された前記ユニットは物理的に分割されたものであっても、でなくてもよい。ユニットとして表示される部材は、物理的ユニットであって、でなくてもよい。即ち一箇所に位置してもよいし、複数のネットワークユニットに分布してもよい。実際の需要に基づいてそのうちの一部又は全部のユニットにより本実施例の形態の目的を実現することができる。
【０１０２】
また、本出願の各実施例における各昨日ユニットは１つの処理ユニットに集積されてもよいし、各ユニットが独立して物理的に存在してもよいし、２つ又は２つ以上のユニットが１つのユニットに集積されてもよい。
【０１０３】
前記機能はソフトウェア機能ユニットの形式で実現されて独立した製品として販売又は使用される時、コンピュータ読み取り可能な記憶媒体に記憶することができる。このような理解に基づいて、本出願の技術的解決手段の本質、従来技術に貢献する部分又は該技術的解決手段の一部はソフトウェア製品の形式で表すことができる。該コンピュータソフトウェア製品は記憶媒体に記憶され、複数の命令を含む。該命令は一台のコンピュータ機器（パーソナルコンピューター、サーバー又はネットワーク機器等であってもよい）が本出願の各実施例に記載の方法のステップの全部又は一部を実行するために用いられる。前記記憶媒体は、ＵＳＢフラッシュディスク、ポータブルハードディスク、リードオンリーメモリ（ＲＯＭ；Ｒｅａｄ−Ｏｎｌｙ  Ｍｅｍｏｒｙ）、ランダムアクセスメモリ（ＲＡＭ；Ｒａｎｄｏｍ  Ａｃｃｅｓｓ  Ｍｅｍｏｒｙ）、磁気ディスク又は光ディスク等の、プログラムコードを記憶できる様々な媒体を含む。
【図１】
2020506596.tif 000003
【図２】
2020506596.tif 000004
【図３】
2020506596.tif 000005
【図４】
2020506596.tif 000006
【手続補正書】
【提出日】令和2年1月7日(2020.1.7)
【手続補正１】
【補正対象書類名】明細書
【補正対象項目名】全文
【補正方法】変更
【補正の内容】
【発明の詳細な説明】
【技術分野】
【０００１】
本出願は通信分野に関し、より具体的には、アクセス方法及び端末に関する。
【背景技術】
【０００２】
マシンツーマシン（Ｍａｃｈｉｎｅ  ｔｏ  Ｍａｃｈｉｎｅ：Ｍ２Ｍ）通信において、マシン型通信（Ｍａｃｈｉｎｅ  Ｔｙｐｅ  Ｃｏｍｍｕｎｉｃａｔｉｏｎ：ＭＴＣ）機器の数が多いため、ＭＴＣ機器が広く利用される場合、ネットワークはオーバーロード状態になってしまう。例えば、１つのセルに停電故障が突発した場合、電源が回復する時、数多くのＭＴＣ機器が同時にネットワークへアクセスしようとすることがあり、これにより、ネットワークはオーバーロード状態になってしまう。現在、ロングタームエボリューション（Ｌｏｎｇ  Ｔｅｒｍ  Ｅｖｏｌｕｔｉｏｎ：ＬＴＥ）システムにおいて、アクセスネットワークに対するオーバーロード制御は、アクセスクラスバーリング（Ａｃｃｅｓｓ  Ｃｌａｓｓ  Ｂａｒｒｉｎｇ：ＡＣＢ）メカニズムによってシステムに同時にアクセスする端末の数を制御することができる。
【０００３】
しかしながら、ＡＣＢメカニズムにおいて、端末のアクセスクラス（Ａｃｃｅｓｓ  Ｃｌａｓｓ：ＡＣ）に基づいてしか、端末のネットワークへのアクセスのＡＣＢ制御パラメータを確定することができないため、端末のネットワークへのアクセスのＡＣＢ制御パラメータを確定する方法は単一である。
【発明の概要】
【発明が解決しようとする課題】
【０００４】
本発明はアクセス方法及び端末を提供することにより、ＡＣＢメカニズムにおける端末のネットワークへのアクセスのＡＣＢ制御パラメータを確定する方法の多様性を向上させる。
【課題を解決するための手段】
【０００５】
第１態様によれば、アクセス方法を提供する。該方法は、端末がターゲット特徴情報に基づいて、ターゲットアクセスクラスバーリングＡＣＢ制御パラメータを確定し、前記ターゲット特徴情報が、前記端末の優先度、伝送待ちデータの所属するサービスのサービス情報及び伝送待ちデータの所属するサービスの所属するコアネットワークのコアネットワーク情報のうちの少なくとも１つを含むステップと、前記端末が前記ターゲットＡＣＢ制御パラメータに基づいてネットワーク機器にアクセスするステップとを含む。
【０００６】
本発明の実施例において、ターゲット特徴情報に基づいて端末のターゲットＡＣＢ制御パラメータを確定する。例えば、前記端末の優先度、前記伝送待ちデータの所属するサービスのサービス情報及び前記伝送待ちデータの所属するサービスの所属するコアネットワークのコアネットワーク情報のうちのいずれか１つに基づいてＡＣＢ制御パラメータを確定することにより、ＡＣＢメカニズムにおける端末のネットワークへのアクセスのＡＣＢ制御パラメータを確定する方法の多様性を向上させることができる。
【０００７】
更に、ターゲット特徴情報に異なる情報の組み合わせが含まれることにより、ＡＣＢ制御パラメータを確定することで、ＡＣＢ制御パラメータの確定の合理性を向上させることができる。
【０００８】
第１態様による実現可能な実現形態において、前記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質ＱｏＳのうちの少なくとも１つを含む。
【０００９】
第１態様による実現可能な実現形態において、前記伝送待ちデータの所属するサービスの所属するコアネットワークのコアネットワーク情報は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００１０】
第１態様による実現可能な実現形態において、前記ターゲット特徴情報は前記端末のアクセスクラスＡＣを更に含む。
【００１１】
本発明の実施例において、アクセスクラスＡＣ及び他のターゲット特徴情報によりＡＣＢ制御パラメータを確定することで、従来技術よりＡＣＢ制御パラメータに影響を与える要因を更に細かくし、確定されるＡＣＢ制御パラメータをより合理的にすることができる。
【００１２】
第１態様による実現可能な実現形態において、前記端末がターゲット特徴情報に基づいて、ターゲットアクセスクラスバーリングＡＣＢ制御パラメータを確定することは、前記端末が前記ターゲット特徴情報、及び特徴情報とＡＣＢ制御パラメータとのマッピング関係に基づいて、前記ターゲットＡＣＢ制御パラメータを確定することを含む。
【００１３】
第１態様による実現可能な実現形態において、前記ターゲット特徴情報は、前記伝送待ちデータの所属するサービスの所属するコアネットワークのコアネットワーク情報である。前記端末が前記ターゲット特徴情報及び特徴情報とＡＣＢ制御パラメータとのマッピング関係に基づいて、前記ターゲットＡＣＢ制御パラメータを確定することは、前記端末が前記伝送待ちデータの所属するサービスの所属するコアネットワークのコアネットワーク情報及びコアネットワーク情報とＡＣＢ制御パラメータとのマッピング関係に基づいて、前記ターゲットＡＣＢ制御パラメータを確定することを含む。
【００１４】
第１態様による実現可能な実現形態において、前記ターゲット特徴情報は、前記伝送待ちデータの所属するサービスのサービス情報である。前記端末が前記ターゲット特徴情報及び特徴情報とＡＣＢ制御パラメータとのマッピング関係に基づいて、前記ターゲットＡＣＢ制御パラメータを確定することは、前記端末が前記伝送待ちデータの所属するサービスのサービス情報、及びサービス情報とＡＣＢ制御パラメータとのマッピング関係に基づいて、前記ターゲットＡＣＢ制御パラメータを確定することを含む。
【００１５】
第１態様による実現可能な実現形態において、前記端末が前記ターゲットＡＣＢ制御パラメータに基づいてネットワーク機器にアクセスすることは、前記端末は、前記ターゲットＡＣＢ制御パラメータに基づいて前記ネットワーク機器と無線リソース制御（Ｒａｄｉｏ  Ｒｅｓｏｕｒｃｅ  Ｃｏｎｔｒｏｌ：ＲＲＣ）接続を確立すること、前記端末は、前記ターゲットＡＣＢ制御パラメータに基づいて前記ネットワーク機器と非アクセス層ＮＡＳ接続を確立すること、前記端末は、前記ネットワーク機器にアップリンクスケジューリング要求ＳＲを送信することのうちのいずれか１つを含む。
【００１６】
本発明の実施例において、端末はＲＲＣ接続状態又はＲＲＣアイドル状態であってもよい。端末はＡＣＢ制御メカニズムに基づいてネットワークにアクセスしてから、ネットワーク機器とＲＲＣ接続又はＮＡＳ接続を確立することができる。端末は更に、ネットワーク機器にアップリンクスケジューリング要求を送信することができる。つまり、ＡＣＢ制御メカニズムはＲＲＣ接続状態にある端末のネットワーク機器へのアクセスに適用することもできる。これにより従来技術におけるＲＲＣアイドル状態にある端末以外に、ＡＣＢ制御メカニズムに基づいてネットワーク機器にアクセスすることができないという規定を避ける。
【００１７】
第１態様による実現可能な実施形態において、前記方法は、前記端末が前記伝送待ちデータの所属するサービスのサービス情報に基づいて、前記伝送待ちデータを伝送するベアラーを確定すること、前記端末が前記伝送待ちデータの所属するサービスのサービス情報に基づいて、前記伝送待ちデータを伝送するデータストリームを確定すること、前記端末が前記伝送待ちデータの所属するサービスのサービス情報に基づいて、前記伝送待ちデータを伝送するロジックチャネルを確定することのうちの少なくとも１つを更に含む。
【００１８】
本出願の実施例において、端末が伝送待ちデータの所属するサービスのサービス情報に基づいてネットワークにアクセスしてから、直接的に上記サービス情報に基づいて該サービスを伝送するベアラー、ロジックチャネル又はデータストリームを確定することができ、データ伝送フローを節約する。
【００１９】
第１態様による実現可能な実現形態において、前記ターゲットＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記ネットワーク機器へのアクセスを禁止するように前記端末に指示するために用いられる。前記端末が前記ターゲットＡＣＢ制御パラメータに基づいてネットワーク機器にアクセスすることは、前記端末が前記アクセス許容識別子に基づいて前記ネットワーク機器にアクセスすること、又は前記端末が前記アクセス禁止識別子に基づいて前記ネットワーク機器にアクセスしないことを含む。
【００２０】
第１態様による実現可能な実現形態において、前記ターゲットＡＣＢ制御パラメータは、アクセス確率及び／又はアクセスクラスＡＣ禁止時間を含む。前記方法は、前記端末がターゲットアクセス確率を確定することを更に含む。前記端末が前記ターゲットＡＣＢ制御パラメータに基づいてネットワーク機器にアクセスすることは、前記ターゲットアクセス確率が前記アクセス確率以下であり、且つ前記ＡＣ禁止時間を経過すると、前記端末が前記ネットワーク機器にアクセスすること、又は前記ターゲットアクセス確率が前記アクセス確率より大きい場合、前記端末が前記ネットワーク機器にアクセスすることを含む。
【００２１】
第２態様によれば、第１態様における方法を実行するためのモジュールを含む端末を提供する。
【００２２】
第３態様によれば、メモリ、プロセッサ及び送受信機を含む端末を提供する。前記メモリはプログラムを記憶するように構成され、前記プロセッサはプログラムを実行するように構成される。前記プログラムが実行される時、前記プロセッサは前記送受信機に基づいて第１態様における方法を実行する。
【００２３】
第4態様によれば、コンピュータ読み取り可能な媒体を提供する。前記コンピュータ読み取り可能な媒体は、実行されるプログラムコードを記憶する。前記プログラムコードは第１態様における方法を実行するための命令を含む。
【００２４】
本出願の実施例において、ターゲット特徴情報に基づいて、端末のターゲットＡＣＢ制御パラメータを確定する。例えば、前記端末の優先度、前記伝送待ちデータの所属するサービスのサービス情報及び前記伝送待ちデータの所属するサービスの所属するコアネットワークのコアネットワーク情報のうちのいずれか１つに基づいてＡＣＢ制御パラメータを確定し、ＡＣＢメカニズムにおける端末のネットワークへのアクセスのＡＣＢ制御パラメータを確定する方法の多様性を向上させる。
【００２５】
更に、ターゲット特徴情報に異なる情報の組み合わせが含まれることにより、ＡＣＢ制御パラメータを確定することで、ＡＣＢ制御パラメータの確定の合理性を向上させることができる。
【図面の簡単な説明】
【００２６】
【図１】本出願の実施例に適用される無線通信システム１００を示す。
【図２】本出願の実施例によるアクセス方法を示す概略的フローチャートである。
【図３】本出願の実施例による端末を示す概略的構成図である。
【図４】本出願の別の実施例による端末を示す概略的ブロック図である。
【発明を実施するための形態】
【００２７】
以下に、図面と関連付けて本発明の実施例における技術的解決手段を説明する。
【００２８】
図１は本出願の実施例に適用される無線通信システム１００を示す。該無線通信システム１００は、ネットワーク機器１１０を含むことができる。ネットワーク機器１１０は端末機器と通信する機器であってもよい。ネットワーク機器１１０は、所定の地理的エリアに通信カバーを提供し、かつ該カバレッジエリア内に位置する端末機器と通信することができる。
【００２９】
図１は１つのネットワーク機器及び２つの端末を例示的に示す。任意選択的に、該無線通信システム１００は、複数のネットワーク機器を含むことができ、且つ各ネットワークのカバレッジ範囲内に他の数の端末が含まれてもよく、本発明の実施例はこれを限定するものではない。
【００３０】
任意選択的に、該無線通信システム１００は、ネットワークコントローラ、モバイル管理エンティティ等の他のネットワークエンティティを含むこともできるが、本発明の実施例はこれを限定するものではない。
【００３１】
理解すべきものとして、本発明の実施例の技術的解決手段は、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、長期進化型（Ｌｏｎｇ  Ｔｅｒｍ  Ｅｖｏｌｕｔｉｏｎ：ＬＴＥ）システム、高度な長期進化型（Ａｄｖａｎｃｅｄ  ｌｏｎｇ  ｔｅｒｍ  ｅｖｏｌｕｔｉｏｎ：ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ＮＲ（Ｎｅｗ  Ｒａｄｉｏ  Ａｃｃｅｓｓ  Ｔｅｃｈｎｏｌｏｇｙ）、５Ｇ等のような様々な通信システムに適用することができる。
【００３２】
更に理解すべきものとして、本発明の実施例において、端末機器は、モバイルステーション（Ｍｏｂｉｌｅ  Ｓｔａｔｉｏｎ：ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザ機器（Ｕｓｅｒ  Ｅｑｕｉｐｍｅｎｔ：ＵＥ）、ハンドセット（ｈａｎｄｓｅｔ）、携帯機器（ｐｏｒｔａｂｌｅ  ｅｑｕｉｐｍｅｎｔ）等を含んでもよいが、これらに限定されない。該端末機器は無線アクセスネットワーク（Ｒａｄｉｏ  Ａｃｃｅｓｓ  Ｎｅｔｗｏｒｋ：ＲＡＮ）を経由して１つ又は複数のコアネットワークと通信することができる。例えば、端末機器は携帯電話（又はセルラー電話と呼ばれる）、無線通信機能を有するコンピュータ等であってもよく、端末機器はポータブル型、コンパクト型、ハンドヘルド型、コンピュータ内蔵型又は車載型移動装置であってもよい。
【００３３】
本発明の実施例において、ネットワーク機器はアクセスネットワーク機器であってもよく、例えば、基地局、送受信ポイント（Ｔｒａｎｓｍｉｔ  ａｎｄ  Ｒｅｃｅｉｖｅ  Ｐｏｉｎｔ：ＴＲＰ）又はアクセスポイントであってもよい。基地局は、ＧＳＭ又はＣＤＭＡにおける基地局（Ｂａｓｅ  Ｔｒａｎｓｃｅｉｖｅｒ  Ｓｔａｔｉｏｎ：ＢＴＳ）であってもよく、ＷＣＤＭＡにおける基地局（ＮｏｄｅＢ）であってもよく、さらに、ＬＴＥにおける進化型基地局（ｅｖｏｌｖｅｄ  Ｎｏｄｅ  Ｂ：ｅＮＢ又はｅ−ＮｏｄｅＢ）であってもよく、さらにＮＲ又は５Ｇの基地局（ｇＮＢ）であってもよく、本発明の実施例はこれを限定するものではない。
【００３４】
図２は本出願の実施例によるアクセス方法を示す概略的フローチャートである。図２に示す方法は、以下を含む。
【００３５】
ステップ２１０、端末がターゲット特徴情報に基づいて、ターゲットアクセスクラスバーリングＡＣＢ制御パラメータを確定する。前記ターゲット特徴情報は、前記端末の優先度、前記伝送待ちデータの所属するサービスのサービス情報、及び前記伝送待ちデータの所属するサービスの所属するコアネットワークのコアネットワーク情報のうちの少なくとも１つを含む。
【００３６】
具体的には、上記端末の優先度は、端末のタイプに基づいて確定された優先度であってもよく、タイプの異なる端末は、異なる優先度に対応することができる。
【００３７】
理解すべきものとして、上記端末の優先度は、端末の出荷時に予め設定されたものであってもよい。
【００３８】
任意選択的に、上記伝送待ちデータの所属するサービスのサービス情報は、伝送待ちデータの属性特徴であってもよい。上記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質（Ｑｕａｌｉｔｙ  ｏｆ  Ｓｅｒｖｉｃｅ：ＱｏＳ）のうちの少なくとも１つを含む。
【００３９】
具体的には、上記伝送待ちデータの所属するサービスの伝送によりトリガーされる発呼タイプは、伝送待ちデータの所属するサービスの伝送によりトリガーされる発呼原因であってもよい。例えば、緊急発呼、端末によるシグナリング発呼、端末によるデータ発呼、マルチメディア言語発呼及びマルチメディアビデオ発呼等である。
【００４０】
上記伝送待ちデータの所属するサービスのアプリケーションレベルは、伝送待ちデータの所属するサービスのアプリケーションの優先度であってもよい。
【００４１】
任意選択的に、前記コアネットワークの属性特徴は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００４２】
具体的には、上記コアネットワークのコアネットワークタイプは回線交換ドメインのコアネットワーク及びパケット交換ドメインのコアネットワークを含むことができる。
【００４３】
任意選択的に、前記ターゲット特徴情報は前記端末のアクセスクラス（Ａｃｃｅｓｓ  Ｃｌａｓｓ：ＡＣ）を更に含むことができる。
【００４４】
具体的には、上記端末のＡＣはＡＣＢメカニズムに基づいて端末のために設定されるＡＣであってもよい。事業者は端末のクラスを１６個のＡＣと定義することができる。ここで、ＡＣ０−９は一般的なクラスに属し、端末にランダムに分配することができる。ＡＣ１０は緊急発呼可能な端末に対応することができる。ＡＣ１１はネットワーク操作に用いることができる。ＡＣ１２はセキュリティサービスを伝送する端末に対応することができる。ＡＣ１３は公共サービスタイプ（例えば、水、ガスのサプライヤー）の端末に対応することができる。ＡＣ１４は、緊急サービスの伝送を必要とする端末に対応することができる。ＡＣ１５は、事業者のスタッフの端末に対応することができる。１つの端末はＡＣ０−ＡＣ９のうちの１つ、及びＡＣ１１−ＡＣ１５のうちの1つ又は複数のクラスに配置することができる。これらのアクセス情報は、加入者識別モジュール（Ｓｕｂｓｃｒｉｂｅｒ  Ｉｄｅｎｔｉｆｉｃａｔｉｏｎ  Ｍｏｄｕｌｅ：ＳＩＭ）カードに格納することができる。
【００４５】
なお、端末の優先度及びアクセスクラスは、２つのディメンションのものである。端末の優先度は端末のタイプに基づいて確定されるものであってもよい。例えば、携帯電話の優先度が、電流計の優先度より高くてもよい。しかしながら、携帯電話の優先度が高いが、携帯電話のアクセスクラスが高いことを表すものではなく、つまり、優先度の高い携帯電話は、低いアクセスクラスに対応することができる。
【００４６】
ステップ２２０、前記端末が前記ターゲットＡＣＢ制御パラメータに基づいてネットワーク機器にアクセスする。
【００４７】
具体的には、上記端末がターゲットＡＣＢ制御パラメータに基づいてネットワーク機器にアクセスすることは、端末がターゲットＡＣＢ制御パラメータに基づいてネットワーク機器にアクセスすることを含んでもよく、端末がターゲットＡＣＢ制御パラメータに基づいてネットワーク機器にアクセスしないことを含んでもよい。
【００４８】
任意選択的に、上記ターゲットＡＣＢ制御パラメータは、アクセス確率及び／又はアクセスクラスＡＣ禁止時間（Ｂａｒｒｉｎｇ  Ｔｉｍｅ）を含む。
【００４９】
具体的には、上記アクセス確率は禁止ファクター（Ｂａｒｒｉｎｇ  Ｆａｃｔｏｒ）とも呼ばれ、端末がネットワーク機器にアクセスできるかどうかを確定する。上記ＡＣ禁止時間は、端末のネットワーク機器へのアクセスが禁止される時、端末が次のネットワークへのアクセスを開始する前の必要な待ち時間を指示するために用いることができる。
【００５０】
なお、上記ＡＣ禁止時間は、端末が次のネットワークへのアクセスを開始する前の必要な待ち時間、例えば５ｓを直接的に指示することができる。上記ＡＣ禁止時間は、端末が次のネットワークへのアクセスを開始する前の必要な待ち時間を間接的に指示することができる。例えば、ＡＣ禁止時間は、ＡＣ禁止時間を算出するためのランダム関数における入力ファクターであってもよい。
【００５１】
任意選択的に、上記ターゲットＡＣＢ制御パラメータは端末のアクセスを許容するアクセス識別子及び端末のアクセスを禁止するアクセス識別子を含んでもよい。
【００５２】
任意選択的に、１つの実施例として、前記端末がターゲット特徴情報に基づいて、ターゲットアクセスクラスバーリングＡＣＢ制御パラメータを確定することは、前記端末が、前記ターゲット特徴情報及び特徴情報とＡＣＢ制御パラメータとのマッピング関係に基づいて、前記ターゲットＡＣＢ制御パラメータを確定することを含む。
【００５３】
なお、上記特徴情報とＡＣＢ制御パラメータとのマッピング関係は、ネットワーク機器により端末のために配置されるものであってもよく、上記特徴情報とＡＣＢ制御パラメータとのマッピング関係はプロトコルにより規定されるものであってもよい。
【００５４】
任意選択的に、１つの実施例として、前記ターゲット特徴情報は、前記伝送待ちデータの所属するサービスの所属するコアネットワークのコアネットワーク情報である。前記端末が前記ターゲット特徴情報、及び特徴情報とＡＣＢ制御パラメータとのマッピング関係に基づいて、前記ターゲットＡＣＢ制御パラメータを確定することは、前記端末が前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定することを含む。
【００５５】
なお、上記コアネットワーク情報とＡＣＢ制御パラメータとのマッピング関係は、ネットワーク機器により端末のために配置されるものであってもよい。上記コアネットワーク情報とＡＣＢ制御パラメータとのマッピング関係は、プロトコルにより規定されるものであってもよい。
【００５６】
任意選択的に、１つの実施例として、前記ターゲット特徴情報は、前記伝送待ちデータの所属するサービスのサービス情報である。前記端末が前記ターゲット特徴情報、及び特徴情報とＡＣＢ制御パラメータとのマッピング関係に基づいて、前記ターゲットＡＣＢ制御パラメータを確定することは、前記端末が、前記伝送待ちデータの所属するサービスの属するサービス情報、及びサービス情報とＡＣＢ制御パラメータとのマッピング関係に基づいて、前記ターゲットＡＣＢ制御パラメータを確定する。
【００５７】
なお、上記サービス情報とＡＣＢ制御パラメータとのマッピング関係はネットワーク機器により端末のために配置されるものであってもよい。上記サービス情報とＡＣＢ制御パラメータとのマッピング関係は、プロトコルにより規定されるものであってもよい。
【００５８】
任意選択的に、１つの実施例として、前記端末が前記ターゲットＡＣＢ制御パラメータに基づいてネットワーク機器にアクセスすることは、前記端末が前記ターゲットＡＣＢ制御パラメータに基づいて前記ネットワーク機器と無線リソース制御（Ｒａｄｉｏ  Ｒｅｓｏｕｒｃｅ  Ｃｏｎｔｒｏｌ：ＲＲＣ）接続を確立すること、前記端末が前記ターゲットＡＣＢ制御パラメータに基づいて前記ネットワーク機器と非アクセス層ＮＡＳ接続を確立すること、前記端末が前記ネットワーク機器にアップリンクスケジューリング要求ＳＲを送信することのうちのいずれか１つを含む。
【００５９】
具体的には、上記端末が前記ターゲットＡＣＢ制御パラメータに基づいて前記ネットワーク機器と無線リソース制御ＲＲＣ接続を確立することは、ＲＲＣアイドル状態にある端末がネットワーク機器（例えば、アクセスネットワーク機器）とＲＲＣ接続を確立できることを指す。
【００６０】
上記端末が前記ターゲットＡＣＢ制御パラメータに基づいて前記ネットワーク機器と非アクセス層ＮＡＳ接続を確立することは、ＲＲＣ接続状態にある端末がネットワーク機器（例えば、コアネットワーク機器）と非アクセス層ＮＡＳ接続を確立できることを指す。
【００６１】
上記ＲＲＣ接続状態にある端末はターゲットＡＣＢ制御パラメータに基づいてネットワーク機器にアクセスしてから、ネットワーク機器にアップリンクスケジューリング要求（Ｓｃｈｅｄｕｌｉｎｇ  Ｒｅｑｕｅｓｔ：ＳＲ）を直ちに送信することができる。
【００６２】
任意選択的に、１つの実施例として、前記方法は、前記端末が前記伝送待ちデータの所属するサービスのサービス情報に基づいて、前記伝送待ちデータを伝送するベアラーを確定すること、前記端末が前記伝送待ちデータの所属するサービスのサービス情報に基づいて、前記伝送待ちデータを伝送するデータストリームを確定すること、前記端末が前記伝送待ちデータの所属するサービスのサービス情報に基づいて、前記伝送待ちデータを伝送するロジックチャネルを確定することのうちの少なくとも１つを更に含む。
【００６３】
任意選択的に、１つの実施例として、ＡＣＢ制御パラメータとベアラーとの間にマッピング関係が存在する。前記端末が前記伝送待ちデータの所属するサービスのサービス情報に基づいて前記ターゲットＡＣＢ制御パラメータを確定することは、前記端末が前記伝送待ちデータの所属するサービスのサービス情報に基づいて、ターゲットベアラーを確定すること、前記端末が前記ターゲットベアラー、及びＡＣＢ制御パラメータとベアラーとのマッピング関係に基づいて、前記ターゲットＡＣＢ制御パラメータを確定することを含む。
【００６４】
任意選択的に、１つの実施例として、ＡＣＢ制御パラメータとデータストリームとの間にマッピング関係が存在する。前記端末が前記伝送待ちデータの所属するサービスのサービス情報に基づいて前記ターゲットＡＣＢ制御パラメータを確定することは、前記端末が前記伝送待ちデータの所属するサービスのサービス情報に基づいて、ターゲットロジックチャネルを確定すること、前記端末が前記ターゲットロジックチャネル、及びＡＣＢ制御パラメータとロジックチャネルとのマッピング関係に基づいて、前記ターゲットＡＣＢ制御パラメータを確定することを含む。
【００６５】
任意選択的に、１つの実施例として、ＡＣＢ制御パラメータとロジックチャネルとの間にマッピング関係が存在する。前記端末が前記伝送待ちデータの所属するサービスのサービス情報に基づいて前記ターゲットＡＣＢ制御パラメータを確定することは、前記端末が前記伝送待ちデータの所属するサービスのサービス情報に基づいて、ターゲットデータストリームを確定すること、前記端末が前記ターゲットデータストリーム、及びＡＣＢ制御パラメータとデータストリームとのマッピング関係に基づいて、前記ターゲットＡＣＢ制御パラメータを確定することを含む。
【００６６】
任意選択的に、１つの実施例として、前記ターゲットＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記端末の前記ネットワーク機器へのアクセスを禁止するために用いられる。前記端末は前記ターゲットＡＣＢ制御パラメータに基づいてネットワーク機器にアクセスすることは、前記端末が前記アクセス許容識別子に基づいて前記ネットワーク機器にアクセスすること、又は前記端末が前記アクセス禁止識別子に基づいて前記ネットワーク機器にアクセスしないことを含む。
【００６７】
任意選択的に、１つの実施例として、前記ターゲットＡＣＢ制御パラメータは、アクセス確率及び／又はアクセスクラスＡＣ禁止時間を含む。前記方法は、前記端末がターゲットアクセス確率を確定することを更に含む。前記端末が前記ターゲットＡＣＢ制御パラメータに基づいてネットワーク機器にアクセスすることは、前記ターゲットアクセス確率が前記アクセス確率以下であり、且つ前記ＡＣ禁止時間を経過すると、前記端末が前記ネットワーク機器にアクセスすること、又は前記ターゲットアクセス確率が前記アクセス確率より大きい場合、前記端末が前記ネットワーク機器にアクセスすることを含む。
【００６８】
以上に、図１及び図２と関連付けて本出願の実施例のアクセス方法を詳しく説明した。以下に、図３及び図４と関連付けて本出願の実施例の端末を詳しく説明する。理解すべきものとして、図３及び図４に示す端末は、図２における各ステップを実現することができる。重複を避けるために、ここで詳しい説明を省略する。
【００６９】
図３は本出願の実施例による端末を示す概略的構成図である。図３に示す端末３００は、確定ユニット３１０とアクセスユニット３２０とを含む。
【００７０】
確定ユニット３１０は、ターゲット特徴情報に基づいて、ターゲットアクセスクラスバーリングＡＣＢ制御パラメータを確定するように構成される。前記ターゲット特徴情報は、前記端末の優先度、前記伝送待ちデータの所属するサービスのサービス情報、及び前記伝送待ちデータの所属するサービスの所属するコアネットワークのコアネットワーク情報のうちの少なくとも１つを含む。
【００７１】
アクセスユニット３２０は、前記ターゲットＡＣＢ制御パラメータに基づいてネットワーク機器にアクセスするように構成される。
【００７２】
任意選択的に、１つの実施例として、前記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ、及び前記伝送待ちデータの所属するサービスの伝送に必要なサービス品質ＱｏＳのうちの少なくとも１つを含む。
【００７３】
任意選択的に、１つの実施例として、前記伝送待ちデータの所属するサービスの所属するコアネットワークのコアネットワーク情報は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００７４】
任意選択的に、１つの実施例として、前記ターゲット特徴情報は前記端末のアクセスクラスＡＣを更に含む。
【００７５】
任意選択的に、１つの実施例として、前記確定ユニットは具体的には、前記ターゲット特徴情報、及び特徴情報とＡＣＢ制御パラメータとのマッピング関係に基づいて、前記ターゲットＡＣＢ制御パラメータを確定するように構成される。
【００７６】
任意選択的に、１つの実施例として、前記ターゲット特徴情報は、前記伝送待ちデータの所属するサービスの所属するコアネットワークのコアネットワーク情報である。前記確定ユニットは具体的には更に、前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定するように構成される。
【００７７】
任意選択的に、１つの実施例として、前記ターゲット特徴情報は前記伝送待ちデータの所属するサービスのサービス情報である。前記確定ユニットは具体的には更に、前記伝送待ちデータの所属するサービスのサービス情報、及びサービス情報とＡＣＢ制御パラメータとのマッピング関係に基づいて、前記ターゲットＡＣＢ制御パラメータを確定するように構成される。
【００７８】
任意選択的に、１つの実施例として、前記アクセスユニットは、前記ターゲットＡＣＢ制御パラメータに基づいて前記ネットワーク機器と無線リソース制御ＲＲＣ接続を確立すること、前記ターゲットＡＣＢ制御パラメータに基づいて前記ネットワーク機器と非アクセス層ＮＡＳ接続を確立すること、及び前記ネットワーク機器にアップリンクスケジューリング要求ＳＲを送信することのうちのいずれか１つを実行するように構成される。
【００７９】
任意選択的に、１つの実施例として、確定ユニットは更に、前記伝送待ちデータの所属するサービスのサービス情報に基づいて、前記伝送待ちデータを伝送するベアラーを確定すること、前記伝送待ちデータの所属するサービスのサービス情報に基づいて、前記伝送待ちデータを伝送するデータスクリームを確定すること、前記伝送待ちデータの所属するサービスのサービス情報に基づいて、前記伝送待ちデータを伝送するロジックチャネルを確定することのうちの少なくとも１つを実行するように構成される。
【００８０】
任意選択的に、１つの実施例として、前記ターゲットＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記ネットワーク機器へのアクセスを禁止するように前記端末に指示するために用いられる。前記アクセスユニットは具体的には、前記アクセス許容識別子に基づいて前記ネットワーク機器にアクセスし、又は前記アクセス禁止識別子に基づいて前記ネットワーク機器にアクセスしないように構成される。
【００８１】
任意選択的に、１つの実施例として、前記ターゲットＡＣＢ制御パラメータは、アクセス確率及び／又はアクセスクラスＡＣ禁止時間を含む。前記確定ユニットは更に、ターゲットアクセス確率を確定するように構成される。前記アクセスユニットは具体的には、前記ターゲットアクセス確率が前記アクセス確率以下であり、且つ前記ＡＣ禁止時間を経過すると、前記ネットワーク機器にアクセスし、又は前記ターゲットアクセス確率が前記アクセス確率より大きい場合、前記ネットワーク機器にアクセスするように構成される。
【００８２】
図４は本出願の別の実施例による端末を示す概略的ブロック図である。図４に示す端末４００は、メモリ４１０、プロセッサ４２０、入力／出力インタフェース４３０、及び通信インタフェース４４０を含む。ここで、メモリ４１０、プロセッサ４２０、入力／出力インタフェース４３０及び通信インタフェース４４０は内部接続通路を介して接続される。該メモリ４１０は、命令を記憶するように構成される。該プロセッサ４２０は、該メモリ４２０に記憶される命令を実行し、入力／出力インタフェース４３０を制御して入力されたデータ及び情報を受信し、操作結果等のデータを出力し、通信インタフェース４４０を制御して信号を送信するように構成される。
【００８３】
プロセッサ４２０は、ターゲット特徴情報に基づいて、ターゲットアクセスクラスバーリングＡＣＢ制御パラメータを確定するように構成される。前記ターゲット特徴情報は、前記端末の優先度、前記伝送待ちデータの所属するサービスのサービス情報、及び前記伝送待ちデータの所属するサービスの所属するコアネットワークのコアネットワーク情報のうちの少なくとも１つを含む。プロセッサ４２０は更に、前記ターゲットＡＣＢ制御パラメータに基づいてネットワーク機器にアクセスするように構成される。
【００８４】
理解すべきものとして、本出願の実施例において、該プロセッサ４２０は中央処理装置（Ｃｅｎｔｒａｌ  Ｐｒｏｃｅｓｓｉｎｇ  Ｕｎｉｔ：ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、又は１つや複数の集積回路を用いて、関連プログラムを実行するように構成され、本出願の実施例の提供する技術的解決手段を実現する。
【００８５】
また、理解すべきものとして、通信インタフェース４４０は送受信機のような送受信装置を用いて、Ｄ２Ｄ機器４００と他の機器又は通信ネットワークとの通信を実現するが、これらに限定されない。
【００８６】
該メモリ４１０は、読み取り専用メモリ及びランダムアクセスメモリを含み、プロセッサ４２０に命令及びデータを提供する。プロセッサ４２０の一部は更に非揮発性ランダムアクセスメモリを含んでもよい。例えば、プロセッサ４２０は更に機器タイプ情報を記憶することもできる。
【００８７】
任意選択的に、１つの実施例として、前記伝送待ちデータの所属するサービスのサービス情報は、前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質ＱｏＳのうちの少なくとも１つを含む。
【００８８】
任意選択的に、１つの実施例として、前記伝送待ちデータの所属するサービスの所属するコアネットワークのコアネットワーク情報は、前記コアネットワークのコアネットワークタイプ、前記コアネットワークのコアネットワーク識別子及び前記コアネットワークの所属する公衆携帯電話網ＰＬＭＮの識別子のうちの少なくとも１つを含む。
【００８９】
任意選択的に、１つの実施例として、前記ターゲット特徴情報は前記端末のアクセスクラスＡＣを更に含む。
【００９０】
任意選択的に、１つの実施例として、前記プロセッサ４２０は具体的には、前記ターゲット特徴情報、及び特徴情報とＡＣＢ制御パラメータとのマッピング関係に基づいて、前記ターゲットＡＣＢ制御パラメータを確定するように構成される。
【００９１】
任意選択的に、１つの実施例として、前記ターゲット特徴情報は、前記伝送待ちデータの所属するサービスの所属するコアネットワークのコアネットワーク情報である。前記プロセッサ４２０は具体的には更に、前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定するように構成される。
【００９２】
任意選択的に、１つの実施例として、前記ターゲット特徴情報は前記伝送待ちデータの所属するサービスのサービス情報である。前記プロセッサ４２０は具体的には更に、前記伝送待ちデータの所属するサービスのサービス情報、及びサービス情報とＡＣＢ制御パラメータとのマッピング関係に基づいて、前記ターゲットＡＣＢ制御パラメータを確定するように構成される。
【００９３】
任意選択的に、１つの実施例として、前記プロセッサ４２０は具体的には、前記ターゲットＡＣＢ制御パラメータに基づいて前記ネットワーク機器と無線リソース制御ＲＲＣ接続を確立すること、前記ターゲットＡＣＢ制御パラメータに基づいて前記ネットワーク機器と非アクセス層ＮＡＳ接続を確立すること、及び前記ネットワーク機器にアップリンクスケジューリング要求ＳＲを送信することのうちのいずれか１つを実行するように構成される。
【００９４】
任意選択的に、１つの実施例として、前記プロセッサ４２０は更に、前記伝送待ちデータの所属するサービスのサービス情報に基づいて、前記伝送待ちデータを伝送するベアラーを確定すること、前記伝送待ちデータの所属するサービスのサービス情報に基づいて、前記伝送待ちデータを伝送するデータスクリームを確定すること、前記伝送待ちデータの所属するサービスのサービス情報に基づいて、前記伝送待ちデータを伝送するロジックチャネルを確定することのうちの少なくとも１つを実行するように構成される。
【００９５】
任意選択的に、１つの実施例として、前記ターゲットＡＣＢ制御パラメータは、アクセス許容識別子及びアクセス禁止識別子を含む。前記アクセス許容識別子は、前記端末に前記ネットワーク機器へのアクセスを指示するために用いられる。前記アクセス禁止識別子は、前記ネットワーク機器へのアクセスを禁止するように前記端末に指示するために用いられる。前記プロセッサ４２０は具体的には、前記アクセス許容識別子に基づいて前記ネットワーク機器にアクセスし、又は前記アクセス禁止識別子に基づいて前記ネットワーク機器にアクセスしないように構成される。
【００９６】
任意選択的に、１つの実施例として、前記ターゲットＡＣＢ制御パラメータはアクセス確率及び／又はアクセスクラスＡＣ禁止時間を含む。前記プロセッサ４２０は更に、ターゲットアクセス確率を確定するように構成される。前記プロセッサ４２０は具体的には、前記ターゲットアクセス確率が前記アクセス確率以下であり、且つ前記ＡＣ禁止時間を経過すると、前記ネットワーク機器にアクセスし、又は前記ターゲットアクセス確率が前記アクセス確率より大きい場合、前記ネットワーク機器にアクセスするように構成される。
【００９７】
理解すべきものとして、本出願の実施例において「Ａに対応するＢ」はＢとＡが関連づけられ、Ａに基づいてＢを確定することができることを表す。また、理解すべきものとして、Ａに基づいてＢを確定することは、Ａのみに基づいてＢを確定することを表さず、更にＡ及び／又は他の情報に基づいてＢを確定することもできる。
【００９８】
理解すべきものとして、本文における用語「及び／又は」は、関連する対象の関連関係を表すものに過ぎず、３種類の関係が存在することを表す。例えば、Ａ及び／又はＢは、Ａが独立して存在すること、ＡとＢが同時に存在すること、Ｂが独立して存在することを表す。なお、本分における符号「／」は一般的には、前後に関連した対象が「又は」という関係があることを表す。
【００９９】
理解すべきものとして、本出願の様々な実施例において、上記各プロセスの番号の大きさは実行の優先順位を表すものではなく、各プロセスの実行順番はその機能及びロジックによって確定されるものであり、本出願の実施例の実施プロセスを限定するものではない。
【０１００】
本出願の提供する複数の実施例において、理解すべきものとして、開示されるシステム、装置及び方法は、他の形態によって実現することができる。例えば、上述した装置の実施例は模式的なものに過ぎない。例えば、前記ユニットの分割は、ロジック機能の分割に過ぎず、実際に実現する時に他の分割方法が存在する。例えば、複数のユニット又はアセンブリは別のシステムに結合又は集積されてもよい。又は幾つかの特徴を無視するか、又は実行しなくてもよい。また、表示又は議論される相互結合、直接結合又は通信接続は、幾つかのインタフェース、装置又はユニットを経由した間接結合又は通信接続であってもよい。電気的形態、機械的形態又は他の形態であってもよい。
【０１０１】
分割部材として説明された前記ユニットは物理的に分割されたものであっても、でなくてもよい。ユニットとして表示される部材は、物理的ユニットであって、でなくてもよい。即ち一箇所に位置してもよいし、複数のネットワークユニットに分布してもよい。実際の需要に基づいてそのうちの一部又は全部のユニットにより本実施例の形態の目的を実現することができる。
【０１０２】
また、本出願の各実施例における各昨日ユニットは１つの処理ユニットに集積されてもよいし、各ユニットが独立して物理的に存在してもよいし、２つ又は２つ以上のユニットが１つのユニットに集積されてもよい。
【０１０３】
前記機能はソフトウェア機能ユニットの形式で実現されて独立した製品として販売又は使用される時、コンピュータ読み取り可能な記憶媒体に記憶することができる。このような理解に基づいて、本出願の技術的解決手段の本質、従来技術に貢献する部分又は該技術的解決手段の一部はソフトウェア製品の形式で表すことができる。該コンピュータソフトウェア製品は記憶媒体に記憶され、複数の命令を含む。該命令は一台のコンピュータ機器（パーソナルコンピューター、サーバー又はネットワーク機器等であってもよい）が本出願の各実施例に記載の方法のステップの全部又は一部を実行するために用いられる。前記記憶媒体は、ＵＳＢフラッシュディスク、ポータブルハードディスク、リードオンリーメモリ（ＲＯＭ；Ｒｅａｄ−Ｏｎｌｙ  Ｍｅｍｏｒｙ）、ランダムアクセスメモリ（ＲＡＭ；Ｒａｎｄｏｍ  Ａｃｃｅｓｓ  Ｍｅｍｏｒｙ）、磁気ディスク又は光ディスク等の、プログラムコードを記憶できる様々な媒体を含む。
【手続補正２】
【補正対象書類名】特許請求の範囲
【補正対象項目名】全文
【補正方法】変更
【補正の内容】
【特許請求の範囲】
【請求項１】
アクセス方法であって、
端末は、ターゲット特徴情報に基づいて、ターゲットアクセスクラスバーリングＡＣＢ制御パラメータを確定し、前記ターゲット特徴情報が、前記端末の優先度、伝送待ちデータの所属するサービスのサービス情報及び伝送待ちデータの所属するサービスの所属するコアネットワークのコアネットワーク情報のうちの少なくとも１つを含むステップと、
前記端末は、前記ターゲットＡＣＢ制御パラメータに基づいてネットワーク機器にアクセスするステップと
を含むことを特徴とする、アクセス方法。
【請求項２】
前記伝送待ちデータの所属するサービスのサービス情報は、
前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ及び前記伝送待ちデータの所属するサービスの伝送に必要なサービス品質ＱｏＳのうちの少なくとも１つを含むことを特徴とする
請求項１に記載の方法。
【請求項３】
前記伝送待ちデータの所属するサービスの所属するコアネットワークのコアネットワーク情報は、
前記コアネットワークのコアネットワークタイプ、前記コアネットワークのコアネットワーク識別子及び前記コアネットワークの所属する公衆携帯電話網ＰＬＭＮの識別子のうちの少なくとも１つを含むことを特徴とする
請求項１又は２に記載の方法。
【請求項４】
前記ターゲット特徴情報は前記端末のアクセスクラスＡＣを更に含むことを特徴とする
請求項１−３のうちいずれか１項に記載の方法。
【請求項５】
前記端末がターゲット特徴情報に基づいて、ターゲットアクセスクラスバーリングＡＣＢ制御パラメータを確定することは、
前記端末は、前記ターゲット特徴情報、及び特徴情報とＡＣＢ制御パラメータとのマッピング関係に基づいて、前記ターゲットＡＣＢ制御パラメータを確定することを含むことを特徴とする
請求項１−４のうちいずれか１項に記載の方法。
【請求項６】
前記ターゲット特徴情報は、前記伝送待ちデータの所属するサービスの所属するコアネットワークのコアネットワーク情報であり、
前記端末が前記ターゲット特徴情報、及び特徴情報とＡＣＢ制御パラメータとのマッピング関係に基づいて、前記ターゲットＡＣＢ制御パラメータを確定することは、
前記端末は、前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定することを含むことを特徴とする
請求項５に記載の方法。
【請求項７】
前記ターゲット特徴情報は前記伝送待ちデータの所属するサービスのサービス情報であり、
前記端末が前記ターゲット特徴情報、及び特徴情報とＡＣＢ制御パラメータとのマッピング関係に基づいて、前記ターゲットＡＣＢ制御パラメータを確定することは、
前記端末は、前記伝送待ちデータの所属するサービスのサービス情報、及びサービス情報とＡＣＢ制御パラメータとのマッピング関係に基づいて、前記ターゲットＡＣＢ制御パラメータを確定することを含むことを特徴とする
請求項５に記載の方法。
【請求項８】
前記端末が前記ターゲットＡＣＢ制御パラメータに基づいてネットワーク機器にアクセスすることは、
前記端末は、前記ターゲットＡＣＢ制御パラメータに基づいて前記ネットワーク機器と無線リソース制御ＲＲＣ接続を確立すること、
前記端末は、前記ターゲットＡＣＢ制御パラメータに基づいて前記ネットワーク機器と非アクセス層ＮＡＳ接続を確立すること、
前記端末は、前記ネットワーク機器にアップリンクスケジューリング要求ＳＲを送信することのうちのいずれか１つを含むことを特徴とする
請求項１−７のうちいずれか１項に記載の方法。
【請求項９】
前記方法は更に、
前記端末は、前記伝送待ちデータの所属するサービスのサービス情報に基づいて、前記伝送待ちデータを伝送するベアラーを確定すること、
前記端末は、前記伝送待ちデータの所属するサービスのサービス情報に基づいて、前記伝送待ちデータを伝送するデータスクリームを確定すること、
前記端末は、前記伝送待ちデータの所属するサービスのサービス情報に基づいて、前記伝送待ちデータを伝送するロジックチャネルを確定することのうちの少なくとも１つを含むことを特徴とする
請求項１−８のうちいずれか１項に記載の方法。
【請求項１０】
前記ターゲットＡＣＢ制御パラメータは、アクセス許容識別子及びアクセス禁止識別子を含み、前記アクセス許容識別子は、前記端末に前記ネットワーク機器へのアクセスを指示するために用いられ、前記アクセス禁止識別子は、前記ネットワーク機器へのアクセスを禁止するように前記端末に指示するために用いられ、
前記端末が前記ターゲットＡＣＢ制御パラメータに基づいてネットワーク機器にアクセスすることは、
前記端末は、前記アクセス許容識別子に基づいて前記ネットワーク機器にアクセスすること、
又は前記端末は、前記アクセス禁止識別子に基づいて前記ネットワーク機器にアクセスしないことを含むことを特徴とする
請求項１−９のうちいずれか１項に記載の方法。
【請求項１１】
前記ターゲットＡＣＢ制御パラメータは、アクセス確率及び／又はアクセスクラスＡＣ禁止時間を含み、
前記方法は更に、
前記端末は、ターゲットアクセス確率を確定することを更に含み、
前記端末が前記ターゲットＡＣＢ制御パラメータに基づいてネットワーク機器にアクセスすることは、
前記ターゲットアクセス確率が前記アクセス確率以下であり、且つ前記ＡＣ禁止時間を経過すると、前記端末は、前記ネットワーク機器にアクセスすること、又は
前記ターゲットアクセス確率が前記アクセス確率より大きい場合、前記端末は、前記ネットワーク機器にアクセスすることを含むことを特徴とする
請求項１−９のうちいずれか１項に記載の方法。
【請求項１２】
端末であって、
ターゲット特徴情報に基づいて、ターゲットアクセスクラスバーリングＡＣＢ制御パラメータを確定するように構成される確定ユニットであって、前記ターゲット特徴情報が、前記端末の優先度、伝送待ちデータの所属するサービスのサービス情報、及び伝送待ちデータの所属するサービスの所属するコアネットワークのコアネットワーク情報のうちの少なくとも１つを含む、確定ユニットと、
前記確定ユニットにより確定される前記ターゲットＡＣＢ制御パラメータに基づいてネットワーク機器にアクセスするように構成されるアクセスユニットと、を備えることを特徴とする端末。
【請求項１３】
前記伝送待ちデータの所属するサービスのサービス情報は、
前記伝送待ちデータの所属するサービスの優先度、前記伝送待ちデータの所属するサービスのアプリケーションレベル、前記伝送待ちデータの所属するサービスの伝送によりトリガーされる発呼タイプ、前記伝送待ちデータの所属するサービスのサービスタイプ、及び前記伝送待ちデータの所属するサービスの伝送に必要なサービス品質ＱｏＳのうちの少なくとも１つを含むことを特徴とする
請求項１２に記載の端末。
【請求項１４】
前記伝送待ちデータの所属するサービスの所属するコアネットワークのコアネットワーク情報は、
前記コアネットワークのコアネットワークタイプ、前記コアネットワークのコアネットワーク識別子及び前記コアネットワークの所属する公衆携帯電話網ＰＬＭＮの識別子のうちの少なくとも１つを含むことを特徴とする
請求項１２又は１３に記載の端末。
【請求項１５】
前記ターゲット特徴情報は前記端末のアクセスクラスＡＣを更に含むことを特徴とする
請求項１２−１４のうちいずれか１項に記載の端末。
【請求項１６】
前記確定ユニットは具体的には、
前記ターゲット特徴情報、及び特徴情報とＡＣＢ制御パラメータとのマッピング関係に基づいて、前記ターゲットＡＣＢ制御パラメータを確定するように構成されることを特徴とする
請求項１２−１５のうちいずれか１項に記載の端末。
【請求項１７】
前記ターゲット特徴情報は、前記伝送待ちデータの所属するサービスの所属するコアネットワークのコアネットワーク情報であり、
前記確定ユニットは具体的には更に、
前記伝送待ちデータの所属するサービスの所属するコアネットワークのコアネットワーク情報、及びコアネットワーク情報とＡＣＢ制御パラメータとのマッピング関係に基づいて、前記ターゲットＡＣＢ制御パラメータを確定するように構成されることを特徴とする
請求項１６に記載の端末。
【請求項１８】
前記ターゲット特徴情報は前記伝送待ちデータの所属するサービスのサービス情報であり、
前記確定ユニットは具体的には更に、
前記伝送待ちデータの所属するサービスのサービス情報、及びサービス情報とＡＣＢ制御パラメータとのマッピング関係に基づいて、前記ターゲットＡＣＢ制御パラメータを確定するように構成されることを特徴とする
請求項１６に記載の端末。
【請求項１９】
前記アクセスユニットは具体的には、
前記ターゲットＡＣＢ制御パラメータに基づいて前記ネットワーク機器と無線リソース制御ＲＲＣ接続を確立すること、
前記ターゲットＡＣＢ制御パラメータに基づいて前記ネットワーク機器と非アクセス層ＮＡＳ接続を確立すること、及び
前記ネットワーク機器にアップリンクスケジューリング要求ＳＲを送信することのうちのいずれか１つを実行するように構成されることを特徴とする
請求項１２−１８のうちいずれか１項に記載の端末。
【請求項２０】
確定ユニットは更に、
前記伝送待ちデータの所属するサービスのサービス情報に基づいて、前記伝送待ちデータを伝送するベアラーを確定すること、
前記伝送待ちデータの所属するサービスのサービス情報に基づいて、前記伝送待ちデータを伝送するデータスクリームを確定すること、
前記伝送待ちデータの所属するサービスのサービス情報に基づいて、前記伝送待ちデータを伝送するロジックチャネルを確定することのうちの少なくとも１つを実行するように構成されることを特徴とする
請求項１２−１９のうちいずれか１項に記載の端末。
【請求項２１】
前記ターゲットＡＣＢ制御パラメータは、アクセス許容識別子及びアクセス禁止識別子を含み、前記アクセス許容識別子は、前記端末に前記ネットワーク機器へのアクセスを指示するために用いられ、前記アクセス禁止識別子は、前記ネットワーク機器へのアクセスを禁止するように前記端末に指示するために用いられ、
前記アクセスユニットは具体的には、
前記アクセス許容識別子に基づいて前記ネットワーク機器にアクセスし、又は
前記アクセス禁止識別子に基づいて前記ネットワーク機器にアクセスしないように構成されることを特徴とする
請求項１２−２０のうちいずれか１項に記載の端末。
【請求項２２】
前記ターゲットＡＣＢ制御パラメータは、アクセス確率及び／又はアクセスクラスＡＣ禁止時間を含み、
前記確定ユニットは更に、ターゲットアクセス確率を確定するように構成され、
前記アクセスユニットは具体的には、
前記ターゲットアクセス確率が前記アクセス確率以下であり、且つ前記ＡＣ禁止時間を経過すると、前記ネットワーク機器にアクセスし、又は前記ターゲットアクセス確率が前記アクセス確率より大きい場合、前記ネットワーク機器にアクセスするように構成されることを特徴とする
請求項１２−２０のうちいずれか１項に記載の端末。
【国際調査報告】
2020506596.tif 000007
2020506596.tif 000008
2020506596.tif 000009
2020506596.tif 000010